(57)【要約】【課題】閲覧端末にて表示されるファイルに対する評価情報を効率的に収集する。【解決手段】閲覧端末は、印刷装置への印刷指示と併せて評価情報を送信する。また、閲覧端末は、送信する評価情報として、名称２０１と閲覧回数２０３と閲覧時間２０５と評価値２０７とマーク２０９、２１１、２１３に関する情報を記憶している。また、送信許可２０２に関する情報を記憶することにより、評価情報の印刷装置への送信を拒否することが可能である。また、送信済フラグ２０４、２０６、２０８、２１０、２１２、２１４に関する情報を記憶することにより、いまだ印刷装置に送信していない評価情報のみを選択して送信することができ、収集のための通信データ量を抑制することが可能となる。【選択図】図５
2009099134.tif 000002
【特許請求の範囲】
【請求項１】
ファイルを閲覧可能な閲覧端末であって、
ファイルを表示する表示手段と、
前記表示手段に表示したファイルに対する閲覧者の評価に関する情報である評価情報を前記ファイルに対応させて記憶する第一記憶手段と、
印刷装置と接続する接続手段と、
前記印刷装置と接続後、前記印刷装置に印刷を指示する印刷指示を送信する際に、前記第一記憶手段に記憶されている評価情報を送信する端末通信手段とを備えたことを特徴とする閲覧端末。
【請求項２】
前記評価情報は、
前記ファイルに対する閲覧者の評価の度合である評価値情報、前記ファイル中の特定部分の位置情報であるマーキング情報、前記ファイルが前記表示手段に表示された回数の累計である第一累計情報、前記ファイルが前記表示手段に表示された時間の累計である第二累計情報、前記ファイルが前記表示手段に表示された時刻の情報である閲覧時刻情報、前記ファイルの印刷指示がなされた回数の累計である第三累計情報のうち少なくとも一つを有することを特徴とする請求項１に記載の閲覧端末。
【請求項３】
複数のファイルに対する複数の評価情報のうち評価の高い評価情報として、前記評価値情報のうち評価の度合が所定の閾値より大きい評価値情報、前記第一累計情報のうち累計回数が所定の閾値より多い第一累計情報、前記第二累計情報のうち累計時間が所定の閾値より長い第二累計情報、前記閲覧時刻情報のうち時刻が所定の閾値より新しい閲覧時刻情報、前記第三累計情報のうち累計回数が所定の閾値より多い第三累計情報のうち少なくとも一つを選択する第一選択手段をさらに備え、
前記端末通信手段は、
前記第一選択手段により選択した評価の高い評価情報と、前記第一選択手段にて高い評価のなされたファイルを特定する為の情報である特定情報とを前記印刷装置に送信することを特徴とする請求項２に記載の閲覧端末。
【請求項４】
複数のファイルに対する複数の評価情報のうち評価の高い評価情報として、前記評価値情報のうち評価の度合が大きい順に所定数選択した評価値情報、前記第一累計情報のうち累計回数が多い順に所定数選択した第一累計情報、前記第二累計情報のうち累計時間が長い順に所定数選択した第二累計情報、前記閲覧時刻情報のうち時刻が新しい順に所定数選択した閲覧時刻情報、前記第三累計情報のうち回数が多い順に所定数選択した第三累計情報のうち少なくとも一つを選択する第二選択手段をさらに備え、
前記端末通信手段は、
前記第二選択手段により選択した評価の高い評価情報と、前記第二選択手段にて高い評価のなされたファイルを特定する為の情報である特定情報とを前記印刷装置に送信することを特徴とする請求項２に記載の閲覧端末。
【請求項５】
閲覧者の個人情報を記憶する第二記憶手段をさらに備え、
前記端末通信手段は、
閲覧者の個人情報と当該閲覧者により評価された評価情報とを前記印刷装置に送信することを特徴とする請求項１乃至４のいずれかに記載の閲覧端末。
【請求項６】
前記印刷装置への送信を許可する評価情報を選択する第三選択手段をさらに備え、
前記端末通信手段は、
前記第三選択手段により選択された評価情報のみを送信することを特徴とする請求項１乃至５のいずれかに記載の閲覧端末。
【請求項７】
それぞれの評価情報に対応付けて送信したか否かを記憶する第三記憶手段と、
前記第三記憶手段に記憶した情報を参照し、前記印刷装置に送信していない評価情報を選択する第四選択手段をさらに備え、
前記端末通信手段は、
前記第四選択手段により選択した評価情報のみを送信することを特徴とする請求項１乃至６のいずれかに記載の閲覧端末。
【請求項８】
請求項１乃至７のいずれかに記載の閲覧端末の各種処理手段としてコンピュータを機能させるための端末プログラム。
【請求項９】
閲覧端末からの印刷指示に応じて印刷を行う印刷装置であって、
閲覧端末と接続する印刷接続手段と、
前記閲覧端末と接続後、前記閲覧端末から印刷指示を受信する印刷受信手段と、
前記印刷受信手段により受信した印刷指示に従い印刷する印刷手段と、
前記印刷受信手段により受信した、前記ファイルに対する評価に関する情報である評価情報を記憶する印刷記憶手段とを備えたことを特徴とする印刷装置。
【請求項１０】
前記閲覧端末が保有する評価情報の前記印刷装置への送信を指示する送信指示を前記閲覧端末に対して送信する印刷送信手段を備え、
前記印刷記憶手段は、
前記送信指示に対する前記閲覧端末からの応答として受信した評価情報を記憶することを特徴とする請求項９に記載の印刷装置。
【請求項１１】
前記印刷受信手段により受信した評価情報を、ネットワークに接続された管理装置に転送する転送手段を備えたことを特徴とする請求項９又は１０に記載の印刷装置。
【請求項１２】
請求項９乃至１１のいずれかに記載の印刷装置の各種処理手段としてコンピュータを機能させるための収集プログラム。
【請求項１３】
ファイルを閲覧可能な閲覧端末と、当該閲覧端末からの印刷指示に応じて印刷を行うとともに、閲覧者のファイルに対する評価に関する情報である評価情報を収集する印刷装置とからなる評価情報収集システムであって、
前記閲覧端末は、
ファイルを表示する表示手段と、
前記表示手段に表示したファイルに対する評価情報を記憶する第一記憶手段と、
印刷装置と接続する接続手段と、
前記印刷装置と接続後、前記印刷装置に印刷を指示する印刷指示を送信する際に、前記第一記憶手段に記憶されている評価情報を送信する端末通信手段とを備え、
前記印刷装置は、
前記閲覧端末と接続する印刷接続手段と、
閲覧端末と接続後、前記閲覧端末から印刷指示を受信する印刷受信手段と、
前記印刷受信手段により受信した印刷指示に従い印刷する印刷手段と、
前記印刷受信手段により受信した評価情報を記憶する印刷記憶手段とを備えたことを特徴とする評価情報収集システム。
【発明の詳細な説明】
【技術分野】
【０００１】
本発明は、閲覧端末、端末プログラム、印刷装置、収集プログラム、及び評価情報収集システムに関するものである。
【背景技術】
【０００２】
従来、文書や画像等の情報コンテンツがＰＣや携帯機器等（以下、「閲覧端末」と称す。）を介して閲覧されている。このような場合、閲覧者の当該コンテンツに対する評価情報（評価点、閲覧時間等）がサーバ等にて集計、解析される。集計、解析された結果は、ユーザの嗜好傾向の把握と、以降の販売戦略の計画等に役立てられる。例えば、特許文献１においては、閲覧端末により閲覧したホームページの内容とその閲覧時間を当該閲覧端末にて記憶し、これをサーバが集計する履歴情報収集システムが提案されている。このシステムでは、集計された履歴情報を、ユーザがどのような内容をどれだけ閲覧したかを示したマーケティング情報として有効活用することが可能となっている。
【特許文献１】特開２００２−７３４５８号公報
【発明の開示】
【発明が解決しようとする課題】
【０００３】
しかしながら、閲覧端末に記憶されている評価情報をサーバ側で集計するためには、サーバが閲覧端末との間で評価情報を集計するための通信を別途行わなければならないという問題点があった。
【０００４】
本発明は上記問題を解決するためになされたものであり、評価情報収集のための通信を別途行うことなく評価情報を収集することができる評価情報収集システム、当該評価情報収集システムを構成する閲覧端末及び印刷装置、並びに、各装置で実行される端末プログラム及び収集プログラムを提供することを目的とする。
【課題を解決するための手段】
【０００５】
上述の問題点を解決するために、請求項１に係る発明の閲覧端末は、ファイルを閲覧可能な閲覧端末であって、ファイルを表示する表示手段と、前記表示手段に表示したファイルに対する閲覧者の評価に関する情報である評価情報を前記ファイルに対応させて記憶する第一記憶手段と、印刷装置と接続する接続手段と、前記印刷装置と接続後、前記印刷装置に印刷を指示する印刷指示を送信する際に、前記第一記憶手段に記憶されている評価情報を送信する端末通信手段とを備えている。
【０００６】
また、請求項２に係る発明の閲覧端末では、請求項１に記載の発明の構成に加えて、前記評価情報は、前記ファイルに対する閲覧者の評価の度合である評価値情報、前記ファイル中の特定部分の位置情報であるマーキング情報、前記ファイルが前記表示手段に表示された回数の累計である第一累計情報、前記ファイルが前記表示手段に表示された時間の累計である第二累計情報、前記ファイルが前記表示手段に表示された時刻の情報である閲覧時刻情報、前記ファイルの印刷指示がなされた回数の累計である第三累計情報のうち少なくとも一つを有することを特徴とする。
【０００７】
また、請求項３に係る発明の閲覧端末は、請求項２に記載の発明の構成に加えて、複数のファイルに対する複数の評価情報のうち評価の高い評価情報として、前記評価値情報のうち評価の度合が所定の閾値より大きい評価値情報、前記第一累計情報のうち累計回数が所定の閾値より多い第一累計情報、前記第二累計情報のうち累計時間が所定の閾値より長い第二累計情報、前記閲覧時刻情報のうち時刻が所定の閾値より新しい閲覧時刻情報、前記第三累計情報のうち累計回数が所定の閾値より多い第三累計情報のうち少なくとも一つを選択する第一選択手段をさらに備え、前記端末通信手段は、前記第一選択手段により選択した評価の高い評価情報と、前記第一選択手段にて高い評価のなされたファイルを特定する為の情報である特定情報とを前記印刷装置に送信することを特徴とする。
【０００８】
また、請求項４に係る発明の閲覧端末は、請求項２に記載の発明の構成に加えて、複数のファイルに対する複数の評価情報のうち評価の高い評価情報として、前記評価値情報のうち評価の度合が大きい順に所定数選択した評価値情報、前記第一累計情報のうち累計回数が多い順に所定数選択した第一累計情報、前記第二累計情報のうち累計時間が長い順に所定数選択した第二累計情報、前記閲覧時刻情報のうち時刻が新しい順に所定数選択した閲覧時刻情報、前記第三累計情報のうち回数が多い順に所定数選択した第三累計情報のうち少なくとも一つを選択する第二選択手段をさらに備え、前記端末通信手段は、前記第二選択手段により選択した評価の高い評価情報と、前記第二選択手段にて高い評価のなされたファイルを特定する為の情報である特定情報とを前記印刷装置に送信することを特徴とする。
【０００９】
また、請求項５に係る発明の閲覧端末は、請求項１乃至４のいずれかに記載の発明の構成に加えて、閲覧者の個人情報を記憶する第二記憶手段をさらに備え、前記端末通信手段は、閲覧者の個人情報と当該閲覧者により評価された評価情報とを前記印刷装置に送信することを特徴とする。
【００１０】
また、請求項６に係る発明の閲覧端末は、請求項１乃至５のいずれかに記載の発明の構成に加えて、前記印刷装置への送信を許可する評価情報を選択する第三選択手段をさらに備え、前記端末通信手段は、前記第三選択手段により選択された評価情報のみを送信することを特徴とする。
【００１１】
また、請求項７に係る発明の閲覧端末は、請求項１乃至６のいずれかに記載の発明の構成に加えて、それぞれの評価情報に対応付けて送信したか否かを記憶する第三記憶手段と、前記第三記憶手段に記憶した情報を参照し、前記印刷装置に送信していない評価情報を選択する第四選択手段をさらに備え、前記端末通信手段は、前記第四選択手段により選択した評価情報のみを送信することを特徴とする。
【００１２】
また、請求項８に係る発明の端末プログラムは、請求項１乃至７のいずれかに記載の閲覧端末の各種処理手段としてコンピュータを機能させる。
【００１３】
また、請求項９に係る発明の印刷装置は、閲覧端末からの印刷指示に応じて印刷を行う印刷装置であって、閲覧端末と接続する印刷接続手段と、前記閲覧端末と接続後、前記閲覧端末から印刷指示を受信する印刷受信手段と、前記印刷受信手段により受信した印刷指示に従い印刷する印刷手段と、前記印刷受信手段により受信した、前記ファイルに対する評価に関する情報である評価情報を記憶する印刷記憶手段とを備えている。
【００１４】
また、請求項１０に係る発明の印刷装置は、前記閲覧端末が保有する評価情報の前記印刷装置への送信を指示する送信指示を前記閲覧端末に対して送信する印刷送信手段を備え、前記印刷記憶手段は、前記送信指示に対する前記閲覧端末からの応答として受信した評価情報を記憶することを特徴とする請求項９に記載の印刷装置。
【００１５】
また、請求項１１に係る発明の印刷装置は、請求項９又は１０に記載の発明の構成に加えて、前記印刷受信手段により受信した評価情報を、ネットワークに接続された管理装置に転送する転送手段を備えている。
【００１６】
また、請求項１２に係る発明の収集プログラムは、請求項９乃至１１のいずれかに記載の印刷装置の各種処理手段としてコンピュータを機能させる。
【００１７】
また、請求項１３に係る発明の評価情報収集システムは、ファイルを閲覧可能な閲覧端末と、当該閲覧端末からの印刷指示に応じて印刷を行うとともに、閲覧者のファイルに対する評価に関する情報である評価情報を収集する印刷装置とからなる評価情報収集システムであって、前記閲覧端末は、ファイルを表示する表示手段と、前記表示手段に表示したファイルに対する評価情報を記憶する第一記憶手段と、印刷装置と接続する接続手段と、前記印刷装置と接続後、前記印刷装置に印刷を指示する印刷指示を送信する際に、前記第一記憶手段に記憶されている評価情報を送信する端末通信手段とを備え、前記印刷装置は、前記閲覧端末と接続する印刷接続手段と、閲覧端末と接続後、前記閲覧端末から印刷指示を受信する印刷受信手段と、前記印刷受信手段により受信した印刷指示に従い印刷する印刷手段と、前記印刷受信手段により受信した評価情報を記憶する印刷記憶手段とを備えている。
【発明の効果】
【００１８】
請求項１に係る発明の閲覧端末は、ファイルが閲覧可能な閲覧端末であって、表示手段がファイルを表示し、第一記憶手段が表示手段に表示したファイルに対する閲覧者の評価に関する情報である評価情報をファイルに対応させて記憶する。そして、接続手段が印刷装置と接続し、接続後、端末通信手段が、印刷装置に印刷を指示する印刷指示を送信する際に、第一記憶手段に記憶されている評価情報を送信する。従って、印刷指示の送信と併せて評価情報を印刷装置に送信することにより、別途評価情報を送信するためだけの通信が不要となり、閲覧端末のユーザに余計な手間を与えることなく、評価情報を収集することができる。
【００１９】
また、請求項２に係る発明の閲覧端末では、請求項１に記載の発明の効果に加えて、評価情報は、ファイルに対する閲覧者の評価の度合である評価値情報、ファイル中の特定部分の位置情報であるマーキング情報、ファイルが表示手段に表示された回数の累計である第一累計情報、ファイルが表示手段に表示された時間の累計である第二累計情報、ファイルが表示手段に表示された時刻の情報である閲覧時刻情報、前記ファイルの印刷指示がなされた回数の累計である第三累計情報のうち少なくとも一つを有している。この場合、評価情報としてこれらの情報を記憶し、印刷装置がこれらのデータを収集することにより、新たな閲覧者は、当該収集データをファイルの選択基準として有効活用することが可能となる。
【００２０】
また、請求項３に係る発明の閲覧端末は、請求項２に記載の発明の効果に加えて、第一選択手段が、複数のファイルに対する複数の評価情報のうち評価の高い評価情報として、評価値情報のうち評価の度合が所定の閾値より大きい評価値情報、第一累計情報のうち累計回数が所定の閾値より多い第一累計情報、第二累計情報のうち累計時間が所定の閾値より長い第二累計情報、閲覧時刻情報のうち時刻が所定の閾値より新しい閲覧時刻情報、第三累計情報のうち累計回数が所定の閾値より多い第三累計情報のうち少なくとも一つを選択する。そして、端末通信手段は、第一選択手段により選択した評価の高い評価情報と、第一選択手段にて高い評価のなされたファイルを特定する為の情報である特定情報とを印刷装置に送信する。この場合、評価の高い情報のみを選択して送信することにより、通信データを抑制することができるばかりでなく、印刷装置により収集された収集データは、新たな閲覧者にとってさらに有用な情報となる。
【００２１】
また、請求項４に係る発明の閲覧端末は、請求項２に記載の発明の効果に加えて、第二選択手段が、複数のファイルに対する複数の評価情報のうち評価の高い評価情報として、評価値情報のうち評価の度合が大きい順に所定数選択した評価値情報、第一累計情報のうち累計回数が多い順に所定数選択した第一累計情報、第二累計情報のうち累計時間が長い順に所定数選択した第二累計情報、閲覧時刻情報のうち時刻が新しい順に所定数選択した閲覧時刻情報、第三累計情報のうち回数が多い順に所定数選択した第三累計情報のうち少なくとも一つを選択する。そして、端末通信手段は、第二選択手段により選択した評価の高い評価情報と、第二選択手段にて高い評価のなされたファイルを特定する為の情報である特定情報とを印刷装置に送信する。この場合、評価の高い情報のみを選択して送信することにより、通信データを抑制することができるばかりでなく、印刷装置により収集された収集データは、新たな閲覧者にとってさらに有用な情報となる。
【００２２】
また、請求項５に係る発明の閲覧端末は、請求項１乃至４のいずれかに記載の発明の効果に加えて、第二記憶手段が、閲覧者の個人情報を記憶する。そして、端末通信手段は、閲覧者の個人情報と当該閲覧者により評価された評価情報とを印刷装置に送信する。この場合、評価情報を、評価した閲覧者の個人情報と関連付けて収集することができるため、新たな閲覧者にとってさらに有用な情報となる。
【００２３】
また、請求項６に係る発明の閲覧端末は、請求項１乃至５のいずれかに記載の発明の効果に加えて、第三選択手段が、印刷装置への送信を許可する評価情報を選択し、端末通信手段は、第三選択手段により選択された評価情報のみを印刷装置に送信する。この場合、閲覧者が知られたくない評価情報は送信、収集されないようにでき、閲覧者のプライバシーを守ることが可能となる。
【００２４】
また、請求項７に係る発明の閲覧端末は、請求項１乃至６のいずれかに記載の発明の効果に加えて、第三記憶手段が、それぞれの評価情報に対応付けて送信したか否かを記憶し、第四選択手段が、第三記憶手段に記憶した情報を参照し、印刷装置に送信していない評価情報を選択する。そして、端末通信手段は、第四選択手段により選択した評価情報のみを印刷装置に送信する。この場合、同一データの重複送信を回避し、通信データを抑制することが可能となる。
【００２５】
また、請求項８に係る発明の端末プログラムは、請求項１乃至７のいずれかに記載の閲覧端末の各種処理手段としてコンピュータを機能させることができる。
【００２６】
また、請求項９に係る発明の印刷装置は、閲覧端末からの印刷指示に応じて印刷を行う印刷装置であって、印刷接続手段が閲覧端末と接続し、接続後、印刷受信手段が閲覧端末から印刷指示を受信する。そして、印刷手段が、印刷受信手段により受信した印刷指示に従い印刷を実行するとともに、印刷記憶手段が、印刷受信手段により受信した、ファイルに対する評価に関する情報である評価情報を記憶する。従って、印刷指示の受信と併せて評価情報を受信することにより、別途評価情報の受信のためだけの通信が不要となり、通信のトラフィックを抑制することが可能となる。
【００２７】
また、請求項１０に係る発明の印刷装置では、請求項９に記載の発明の効果に加えて、印刷送信手段は、閲覧端末が保有する評価情報を印刷装置へ送信するように指示する送信指示を閲覧端末に対して送信する。そして、印刷記憶手段は、その送信指示に対する閲覧端末からの応答として受信した評価情報を記憶する。この場合、閲覧端末が保有する評価情報を印刷装置側で強制的に収集することが可能となる。
【００２８】
また、請求項１１に係る発明の印刷装置は、請求項９又は１０に記載の発明の構成に加えて、印刷受信手段により受信した評価情報を、ネットワークに接続された管理装置に転送する転送手段を備えている。この場合、評価情報を管理装置にて収集、一括管理することが可能となる。
【００２９】
また、請求項１２に係る発明の収集プログラムは、請求項９乃至１１のいずれかに記載の印刷装置の各種処理手段としてコンピュータを機能させることができる。
【００３０】
また、請求項１３に係る発明の評価情報収集システムは、ファイルを閲覧可能な閲覧端末と、当該閲覧端末からの印刷指示に応じて印刷を行うとともに、閲覧者のファイルに対する評価に関する情報である評価情報を収集する印刷装置とからなる評価情報収集システムである。このうち閲覧端末は、表示手段がファイルを表示し、第一記憶手段が表示手段に表示したファイルに対する評価情報を記憶する。そして、接続手段により印刷装置と接続し、接続後、端末通信手段が、印刷装置に印刷を指示する印刷指示を送信する際に、第一記憶手段に記憶されている評価情報を送信する。また、印刷装置は、印刷接続手段により閲覧端末と接続し、接続後、印刷受信手段が閲覧端末からの印刷指示を受信する。そして、印刷手段が印刷受信手段により受信した印刷指示に従い印刷するとともに、印刷記憶手段が、印刷受信手段により受信した評価情報を記憶する。従って、閲覧端末は印刷指示と併せて評価情報を印刷装置に送信し、印刷装置が、印刷指示と併せて評価情報を受信し収集することにより、別途評価情報の受信のためだけの通信が不要となり、通信のトラフィックを抑制することが可能となる。また、新たな閲覧者にとって、ファイルの選択の際に有用な情報を収集することが可能となる。
【発明を実施するための最良の形態】
【００３１】
以下、本発明の実施形態について、図を参照し説明する。本発明の評価情報収集システム１０では、閲覧者が閲覧端末１にてファイルを閲覧した場合に行う、当該ファイルに対する評価の情報（以下、「評価情報」という。）を、印刷装置２が収集する。ファイルとは、文字や画像等を含む情報媒体を指す。閲覧端末１は、印刷装置２に対してファイルの印刷指示と併せて評価情報を送信する。印刷装置２は、印刷指示と併せて評価情報を受信し、評価情報を収集する。これにより、閲覧端末１と印刷装置２とが評価情報収集のためだけの通信を行うことなく、印刷装置２が評価情報を収集できる。図１を参照し、評価情報収集システム１０の概略について説明する。図１は、評価情報収集システム１０の概略を示す模式図である。
【００３２】
図１に示すように、評価情報収集システム１０は、複数の閲覧端末１と、複数の印刷装置２とから構成されている。印刷装置２は、マスタ印刷装置４と、スレーブ印刷装置５、６とを含む。閲覧端末１は、表示機能と通信機能を主な機能として備える閲覧端末である。また閲覧端末１は、ファイルを表示画面に表示可能であるとともに、印刷装置２に対して印刷指示と評価情報とを送信可能である。マスタ印刷装置４、スレーブ印刷装置５、６は、共に印刷機能を有し、閲覧端末１からの要求に応じてファイル等を印刷可能である。さらに、閲覧端末１、及びスレーブ印刷装置５，６が記憶する評価情報は、マスタ印刷装置４にて収集される。
【００３３】
閲覧端末１のハードウェア構成について、図２〜４を参照し説明する。図２は、閲覧端末１のハードウェア構成を示す模式図である。図３は、スレーブ印刷装置５、６のハードウェア構成を示す模式図である。図４は、マスタ印刷装置４のハードウェア構成を示す模式図である。
【００３４】
はじめに、閲覧端末１のハードウェア構成について説明する。図２に示すように、閲覧端末１は、制御を司るＣＰＵ１０１と、プログラム実行時における一時的なデータ等を記憶するＲＡＭ１０２と、制御プログラム等を記憶するＲＯＭ１０３と、フラッシュメモリ等からなる記憶装置１０４と、表示制御部１０５と、液晶（以降、「ＬＣＤ」という。）やエレクトロルミネセンス素子（以降、「ＥＬ素子」という。）、電気泳動方式の表示デバイス等からなるディスプレイ１０６と、入力装置１０７と、電源スイッチ１０８と、送受信部１０９とを備えている。
【００３５】
記憶装置１０４は、端末第一記憶領域１１１、端末第二記憶領域１１２、端末第三記憶領域１１３、端末第四記憶領域１１４等を備えている。端末第一記憶領域１１１には、閲覧端末１を介して閲覧者に閲覧されたファイルに対する閲覧者の評価情報が記憶される。端末第二記憶領域１１２には、閲覧者の個人情報であって、あらかじめ入力装置１０７より設定入力された情報である閲覧者個人情報が記憶される。端末第三記憶領域１１３には、当該評価情報の評価対象となるファイルであり、ディスプレイ１０６に表示されるファイルが記憶される。端末第四記憶領域１１４には、端末第一記憶領域１１１に記憶されている評価情報、及び端末第二記憶領域１１２に記憶されている閲覧者個人情報のうち、印刷装置２（図１参照）に送信するデータとして抽出された情報（以下「送信用情報」という。）が記憶される。
【００３６】
入力装置１０７を介して、閲覧者により、各種設定、ファイルの選択、評価情報の入力等が可能である。入力装置１０７は、例えばキーボードやタッチパッド等が該当する。送受信部１０９は、閲覧端末１がマスタ印刷装置４やスレーブ印刷装置５，６と有線又は無線等の通信媒体を介して通信を行うための通信モジュールである。電源スイッチ１０８は、ユーザにより押下されたことを、ＣＰＵ１０１が判断可能な電気信号に変換するスイッチである。例えば、電源スイッチ１０８としてはプッシュスイッチ等が該当する。ＣＰＵ１０１は電源スイッチ１０８の押下を検出した場合に、電源ＯＮ又はＯＦＦの操作がなされたと判断する。
【００３７】
次に、スレーブ印刷装置５、６のハードウェア構成について説明する。図３に示すように、スレーブ印刷装置５，６は、制御を司るＣＰＵ１４１と、プログラム実行時における一時的なデータ等を記憶するＲＡＭ１４２と、制御プログラム等を記憶するＲＯＭ１４３と、ハードディスク（以降「ＨＤＤ」という。）等からなる記憶装置１４４と、表示制御部１４５と、ＬＣＤやＥＬ素子等からなるディスプレイ１４６と、印刷制御部１４７と、電源スイッチ１４８と、送受信部１４９とを備えている。
【００３８】
記憶装置１４４は、スレーブ第一記憶領域１５１、スレーブ第二記憶領域１５２、スレーブ第三記憶領域１５３等を備えている。スレーブ第一記憶領域１５１は、スレーブ印刷装置５，６が閲覧端末１より受信した評価情報を、マスタ印刷装置４に対して転送する情報として記憶する領域である。スレーブ第二記憶領域１５２は、閲覧端末１からの印刷指示に応じ、スレーブ印刷装置５，６が印刷制御部１４７を介して印刷を実行する場合に、印刷対象のファイルが記憶される領域である。スレーブ第三記憶領域１５３は、評価情報のうち、閲覧端末１が印刷装置２（図１参照）への送信を拒否しても、スレーブ印刷装置５，６が強制的に受信できる評価情報（以下「強制受信情報」という。）が記憶される。
【００３９】
送受信部１４９は、スレーブ印刷装置５，６が閲覧端末１やマスタ印刷装置４と有線又は無線等の通信媒体を介して通信を行うための通信モジュールである。
【００４０】
次に、マスタ印刷装置４のハードウェア構成について説明する。図４に示すように、マスタ印刷装置４は、制御を司るＣＰＵ１７１と、プログラム実行時における一時的なデータ等を記憶するＲＡＭ１７２と、制御プログラム等を記憶するＲＯＭ１７３と、ＨＤＤ等からなる記憶装置１７４と、表示制御部１７５と、ＬＣＤやＥＬ素子等からなるディスプレイ１７６と、印刷制御部１７７と、電源スイッチ１７８と、送受信部１７９とを備えている。
【００４１】
記憶装置１７４は、マスタ第一記憶領域１８１と、マスタ第二記憶領域１８２と、マスタ第三記憶領域１８３と、マスタ第四記憶領域１８４とを備えている。マスタ第一記憶領域１８１は、マスタ印刷装置４が閲覧端末１及びスレーブ印刷装置５，６より収集した評価情報が記憶される領域である。マスタ第二記憶領域１８２は、マスタ印刷装置４が評価情報とともに閲覧端末１やスレーブ印刷装置５，６より収集した閲覧者個人情報が記憶される領域である。マスタ第三記憶領域１８３は、閲覧端末１からの印刷指示に応じ、マスタ印刷装置４が印刷制御部１７７を介して印刷を実行する場合に、印刷対象のファイルが記憶される領域である。マスタ第四記憶領域１８４は、評価情報のうち閲覧端末１が印刷装置２（図１参照）への送信を拒否しても、マスタ印刷装置４が強制的に収集できる評価情報（以下「強制受信情報」という。）が記憶される領域である。
【００４２】
次に、図５〜図７を参照し、閲覧端末１の記憶装置１０４（図２参照）の記憶領域の詳細について説明する。図５は、端末第一記憶領域１１１に記憶される評価情報を示すテーブルの一例を示しており、図６は、端末第二記憶領域１１２に記憶される閲覧者個人情報を示すテーブルの一例を示しており、図７は、端末第四記憶領域１１４に記憶される送信用情報を示すテーブルの一例を示している。
【００４３】
はじめに、図５を参照し、端末第一記憶領域１１１に記憶されている評価情報を示すテーブルの一例について説明する。図５に示すように、評価情報を示すテーブルには、閲覧回数２０３、閲覧時間２０５、評価値２０７、マーク２０９、２１１、２１３の項目が設けられている。そして、閲覧回数、閲覧時間、評価値、及びマークの情報が、ファイルの名称（名称２０１）毎に分類して記憶されている。併せて、印刷装置２（図１参照）に対して評価情報の送信が許可されているか否かの情報を示す項目として、送信許可２０２が設けられている。また、印刷装置２（図１参照）への送信が既に実行された評価情報であるか否かを示す項目が、上述の項目毎に設けられている。具体的には、閲覧回数２０３に対応する送信済フラグ２０４、閲覧時間２０５に対応する送信済フラグ２０６、評価値２０７に対応する送信済フラグ２０８、マーク２０９、２１１、２１３にそれぞれ対応する送信済フラグ２１０、２１２、２１４が設けられている。
【００４４】
名称２０１には、端末第三記憶領域１１３（図２参照）に記憶されており、閲覧端末１（図１参照）により閲覧可能な状態となっているファイルの名称が記憶される。送信許可２０２には、評価情報が印刷装置２（図１参照）への送信を許可されている場合には「許可」が記憶される。印刷装置２（図１参照）への送信が禁止されている場合は「不許可」が記憶される。これらの情報は、ファイルの閲覧者が入力装置１０７（図２参照）を介し閲覧端末１に対して設定する。
【００４５】
閲覧回数２０３には、閲覧者によるファイルの閲覧回数の情報が、ファイルの名称（名称２０１）毎に記憶されている。この回数は、閲覧端末１のディスプレイ１０６（図２参照）に表示するためにＣＰＵ１０１が実行するファイル読み出し処理の度毎に「１」ずつ加算される値である。送信済フラグ２０４には、閲覧回数２０３の情報を閲覧端末１が印刷装置２（図１参照）に対して既に送信したか否かを示す情報が、ファイルの名称（名称２０１）毎に記憶されている。閲覧端末１より印刷装置２（図１参照）に対して閲覧回数２０３の情報が送信された場合に「済」が記憶される。閲覧回数２０３の情報が更新され、更新された閲覧回数２０３の情報がまだ閲覧端末１より印刷装置２（図１参照）に対して送信されていない場合に「未」が記憶される。
【００４６】
閲覧時間２０５には、閲覧者によりファイルが閲覧された場合における閲覧時間の情報が、ファイルの名称（ファイル２０１）毎に記憶されている。この時間は、ＣＰＵ１０１がファイルをディスプレイ１０６（図２参照）に表示させた時間を、ＣＰＵ１０１が計測し、累計した時間である。送信済フラグ２０６には、閲覧時間２０５の情報を閲覧端末１が印刷装置２（図１参照）に対して既に送信したか否かを示す情報が、ファイルの名称（名称２０１）毎に記憶されている。閲覧端末１より印刷装置２（図１参照）に対して閲覧時間２０５の情報が送信された場合に「済」が記憶される。閲覧時間が更新され、更新された閲覧時間２０５の情報がまだ閲覧端末１より印刷装置２（図１参照）に対して送信されていない場合に「未」が記憶される。
【００４７】
評価値２０７には、閲覧者によりファイルが閲覧された場合における、当該ファイルに対する閲覧者の評価度合に関する情報が、ファイルの名称（名称２０１）毎に記憶されている。この値は、閲覧者によりファイルに対する評価の度合として１０段階評価され、その結果が、閲覧者により入力装置１０７（図２参照）を介して入力された値である。送信済フラグ２０８には、評価値２０７の情報を閲覧端末１が印刷装置２（図１参照）に対して既に送信したか否かを示す情報が、ファイルの名称（名称２０１）毎に記憶されている。閲覧端末１より印刷装置２（図１参照）に対して評価値２０７の情報が送信された場合に「済」が記憶される。評価値が更新され、更新された評価値２０７の情報がまだ閲覧端末１より印刷装置２（図１参照）に対して送信されていない場合に「未」が記憶される。
【００４８】
マーク２０９、２１１、２１３には、当該ファイルに対して閲覧者が実施したマーキングの情報が、ファイルの名称（名称２０１）毎に記憶されている。ここでマーキングとは、閲覧者がファイルの特定部分に印を付すことにより、後日該当部分を検索容易とするための行為である。マーキングにより印が付されたページと行数とが、マーク２０９、２１１、２１３に記憶される。例えば、８ページ目の２行目と３行目にマーキングを行った場合には、「Ｐ８、Ｌ２−３」の情報が記憶される。送信済フラグ２１０、２１２、２１４には、マーク２０９、２１１、２１３の情報を閲覧端末１が印刷装置２（図１参照）に対して既に送信したか否かを示す情報が記憶されている。閲覧端末１より印刷装置２（図１参照）に対して送信された場合に「済」が記憶される。マークの情報が更新され、更新されたマーク２０９、２１１、２１３の情報がまだ閲覧端末１より印刷装置２（図１参照）に対して送信されていない場合に「未」が記憶される。なお、図５に示す例では、マークとして２０９、２１１、２１３の合計３列が設けられているが、この列数は、ファイルになされるマーキングの量に応じ変化する。
【００４９】
例えば、図５に示す例においては、名称が「文書Ａ」（名称２０１：文書Ａ）のファイルについて、閲覧端末１から印刷装置２（図１参照）に対しての送信が許可されている（送信許可２０２：許可）。閲覧者によるファイルの閲覧回数は５回（閲覧回数２０３：５）で、いまだ閲覧回数は閲覧端末１から印刷装置２（図１参照）に対して送信されていない（送信済フラグ２０４：未）。閲覧者によるファイルの閲覧時間は「３時間」（閲覧時間２０５：３：００）で、既に閲覧時間は閲覧端末１から印刷装置２（図１参照）に対して送信されている（送信済フラグ２０６：済）。ファイルに対しての閲覧者の評価値は「４」で（評価値２０７：４）、いまだ評価値は閲覧端末１から印刷装置２（図１参照）に対して送信されていない（送信済フラグ２０８：未）。閲覧者によるファイルへのマークは「５ページ目の２行目から３行目」（マーク２０９：Ｐ５，Ｌ２−３）に付されており、いまだマークは閲覧端末１から印刷装置２（図１参照）に対して送信されていない（送信済フラグ２１０：未）。閲覧者によるファイルへのマークは「８ページ目の６行目」（マーク２１１：Ｐ８，Ｌ６）に付されており、いまだマークは閲覧端末１から印刷装置２（図１参照）に対して送信されていない（送信済フラグ２１２：未）。
【００５０】
名称が「文書Ｂ」（名称２０１：文書Ｂ）のファイルについて、閲覧端末１から印刷装置２（図１参照）に対しての送信が許可されている（送信許可２０２：許可）。閲覧者によるファイルの閲覧回数は１０回（閲覧回数２０３：１０）で、いまだ閲覧回数は閲覧端末１から印刷装置２（図１参照）に対して送信されていない（送信済フラグ２０４：未）。閲覧者によるファイルの閲覧時間は「５時間１５分」（閲覧時間２０５：５：１５）で、いまだ閲覧時間は閲覧端末１から印刷装置２（図１参照）に対して送信されていない（送信済フラグ２０６：未）。ファイルに対しての閲覧者の評価値は「８」で（評価値２０７：８）、既に評価値は閲覧端末１から印刷装置２（図１参照）に対して送信されている（送信済フラグ２０８：済）。閲覧者によるファイルへのマークは「１ページ目の１行目」（マーク２０９：Ｐ１，Ｌ１）に付されており、既にマークは閲覧端末１から印刷装置２（図１参照）に対して送信されている（送信済フラグ２１０：済）。閲覧者によるファイルへのマークは「８ページ目の５行目から８行目」（マーク２１１：Ｐ８，Ｌ５−Ｌ８）に付されており、既にマークは閲覧端末１から印刷装置２（図１参照）に対して送信されている（送信済フラグ２１２：済）。閲覧者によるファイルへのマークは「６ページ目の３行目」（マーク２１３：Ｐ６，Ｌ３）に付されており、いまだマークは閲覧端末１から印刷装置２（図１参照）に対して送信されていない（送信済フラグ２１４：未）。
【００５１】
名称が「文書Ｃ」（名称２０１：文書Ｃ）のファイルについて、閲覧端末１から印刷装置２（図１参照）に対しての送信が許可されている（送信許可２０２：許可）。閲覧者によるファイルの閲覧回数は４回（閲覧回数２０３：４）で、いまだ閲覧回数は閲覧端末１から印刷装置２（図１参照）に対して送信されていない（送信済フラグ２０４：未）。閲覧者によるファイルの閲覧時間は「２時間３０分」（閲覧時間２０５：２：３０）で、いまだ閲覧時間は閲覧端末１から印刷装置２（図１参照）に対して送信されていない（送信済フラグ２０６：未）。ファイルに対しての閲覧者の評価値は「７」で（評価値２０７：７）、いまだ評価値は閲覧端末１から印刷装置２（図１参照）に対して送信されていない（送信済フラグ２０８：未）。閲覧者によるファイルへのマークは「７ページ目の１０行目」（マーク２０９：Ｐ７，Ｌ１０）に付されており、既に閲覧端末１から印刷装置２（図１参照）に対して送信されている（送信済フラグ２１０：済）。
【００５２】
名称が「文書Ｄ」（名称２０１：文書Ｄ）のファイルについて、閲覧端末１から印刷装置２（図１参照）に対しての送信が許可されている（送信許可２０２：許可）。閲覧者によるファイルの閲覧回数は０回（閲覧回数２０３：０）で、いまだ閲覧回数は閲覧端末１から印刷装置２（図１参照）に対して送信されていない（送信済フラグ２０４：未）。閲覧者によるファイルの閲覧時間は「０時間００分」（閲覧時間２０５：０：００）で、いまだ閲覧時間は閲覧端末１から印刷装置２（図１参照）に対して送信されていない（送信済フラグ２０６：未）。ファイルに対しての閲覧者の評価値は「０」であり（評価値２０７：０）、いまだ評価値は閲覧端末１から印刷装置２（図１参照）に対して送信されていない（送信済フラグ２０８：未）。
【００５３】
名称が「文書Ｅ」（名称２０１：文書Ｅ）のファイルについて、閲覧端末１から印刷装置２（図１参照）に対しての送信が許可されている（送信許可２０２：許可）。閲覧者によるファイルの閲覧回数は２回（閲覧回数２０３：２）で、いまだ閲覧回数は閲覧端末１から印刷装置２（図１参照）に対して送信されていない（送信済フラグ２０４：未）。閲覧者によるファイルの閲覧時間は「６時間１０分」（閲覧時間２０５：６：１０）で、いまだ閲覧時間は閲覧端末１から印刷装置２（図１参照）に対して送信されていない（送信済フラグ２０６：未）。ファイルに対しての閲覧者の評価値は「６」で（評価値２０７：６）、いまだ評価値は閲覧端末１から印刷装置２（図１参照）に対して送信されていない（送信済フラグ２０８：未）。
【００５４】
名称が「文書Ｆ」（名称２０１：文書Ｆ）のファイルについて、閲覧端末１から印刷装置２（図１参照）に対しての送信が許可されている（送信許可２０２：許可）。閲覧者によるファイルの閲覧回数は８回（閲覧回数２０３：８）で、いまだ閲覧回数は閲覧端末１から印刷装置２（図１参照）に対して送信されていない（送信済フラグ２０４：未）。閲覧者によるファイルの閲覧時間は「２２時間１３分」（閲覧時間２０５：２２：１３）で、いまだ閲覧時間は閲覧端末１から印刷装置２（図１参照）に対して送信されていない（送信済フラグ２０６：未）。ファイルに対しての閲覧者の評価値は「１０」（評価値２０７：１０）で、いまだ評価値は閲覧端末１から印刷装置２（図１参照）に対して送信されていない（送信済フラグ２０８：未）。閲覧者によるファイルへのマークは「１２ページ目の５行目」（マーク２０９：Ｐ１２，Ｌ５）に付され、未だマークは閲覧端末１から印刷装置２（図１参照）に対して送信されていない（送信済フラグ２１０：未）。閲覧者によるファイルへのマークは「３０ページ目の１５行目：Ｐ３０，Ｌ１５」（マーク２１１）に付され、未だマークは閲覧端末１から印刷装置２（図１参照）に対して送信されていない（送信済フラグ２１２：済）。閲覧者によるファイルへのマークは「１０ページ目の１行目」（マーク２１３：Ｐ１０，Ｌ１）に付され、既に閲覧端末１から印刷装置２（図１参照）に対して送信されている（送信済フラグ２１４：済）。
【００５５】
名称が「文書Ｇ」（名称２０１：文書Ｇ）のファイルについて、閲覧端末１から印刷装置２（図１参照）に対しての送信が許可されている（送信許可２０２：許可）。閲覧者によるファイルの閲覧回数は１２回（閲覧回数２０３：１２）で、既に閲覧回数は閲覧端末１から印刷装置２（図１参照）に対して送信されている（送信済フラグ２０４：済）。閲覧者によるファイルの閲覧時間は「７時間２７分」（閲覧時間２０５：７：２７）で、既に閲覧時間は閲覧端末１から印刷装置２（図１参照）に対して送信されている（送信済フラグ２０６：済）。ファイルに対しての閲覧者の評価値は「９」で（評価値２０７：９）、既に閲覧端末１から印刷装置２（図１参照）に対して送信されている（送信済フラグ２０８：済）。閲覧者によるファイルへのマークは「５ページ目の１２行目」（マーク２０９：Ｐ５，Ｌ１２）に付されており、既にマークは閲覧端末１から印刷装置２（図１参照）に対して送信されている（送信済フラグ２１０：済）。閲覧者によるファイルへのマークは「３ページ目の２行目から３行目」（マーク２１１：Ｐ３，Ｌ２−３）に付されており、既にマークは閲覧端末１から印刷装置２（図１参照）に対して送信されている（送信済フラグ２１２：済）。
【００５６】
名称が「文書Ｈ」（名称２０１：文書Ｈ）のファイルについて、閲覧端末１から印刷装置２（図１参照）に対しての送信が禁止されている（送信許可２０２：不許可）。閲覧者によるファイルの閲覧回数は７回（閲覧回数２０３：７）で、いまだ閲覧回数は閲覧端末１から印刷装置２（図１参照）に対して送信されていない（送信済フラグ２０４：未）。閲覧者によるファイルの閲覧時間は「０時間３５分」（閲覧時間２０５：０：３５）で、いまだ閲覧端末１から印刷装置２（図１参照）に対して送信されていない（送信済フラグ２０６：未）。ファイルに対しての閲覧者の評価値は「３」で（評価値２０７：３）、いまだ評価値は閲覧端末１から印刷装置２（図１参照）に対して送信されていない（送信済フラグ２０８：未）。
【００５７】
名称が「文書Ｉ」（名称２０１：文書Ｉ）のファイルについて、閲覧端末１から印刷装置２（図１参照）に対しての送信が禁止されている（送信許可２０２：不許可）。閲覧者によるファイルの閲覧回数は５回（閲覧回数２０３：５）で、いまだ閲覧回数は閲覧端末１から印刷装置２（図１参照）に対して送信されていない（送信済フラグ２０４：未）。閲覧者によるファイルの閲覧時間は「８時間４３分」（閲覧時間２０５：８：４３）で、いまだ閲覧時間は閲覧端末１から印刷装置２（図１参照）に対して送信されていない（送信済フラグ２０６：未）。ファイルに対しての閲覧者の評価値は「５」で（評価値２０７：５）、いまだ評価値は閲覧端末１から印刷装置２（図１参照）に対して送信されていない（送信済フラグ２０８：未）。閲覧者によるファイルへのマークは「１２ページ目の５行目」（マーク２０９：Ｐ１２，Ｌ５）に付されており、既にマークは閲覧端末１から印刷装置２（図１参照）に送信されている（送信済フラグ２１２：済）。閲覧者によるファイルへのマークは「３ページ目の９行目から１３行目」（マーク２１１：Ｐ３，Ｌ９−１３）に付されており、既にマークは閲覧端末１から印刷装置２（図１参照）に対して送信されている（送信済フラグ２１２：済）。マークは「４ページ目の１０行目」（マーク２１３：Ｐ４，Ｌ１０）に付されており、既にマークは閲覧端末１から印刷装置２（図１参照）に送信されている（送信済フラグ２１４：済）。
【００５８】
以上のように、閲覧端末１から印刷装置２（図１参照）に対しての送信可否の情報と、閲覧端末１から印刷装置２（図１参照）に対して送信が済んだか否かの情報とが評価情報に付加されて管理される。これにより、ファイル毎に閲覧端末１から印刷装置２（図１参照）に対しての送信の可否を設定できる。従って、閲覧者が他人に知られたくない情報を閲覧端末１から印刷装置２（図１参照）に対して送信しないように設定することができ、閲覧者のプライバシーを守ることができる。新たに更新された評価情報のうち、いまだ印刷装置２（図１参照）に送信されていない評価情報を選択し、これらの評価情報のみを印刷装置２（図１参照）に送信することが容易に可能となる。このことにより、同一評価情報を閲覧端末１から印刷装置２（図１参照）に対して重複して送信することを回避することができる。従って、閲覧端末１（図１参照）と印刷装置２（図１参照）との間の通信データ量を少なくし、通信トラフィックの過剰な増加を抑制することが可能となる。
【００５９】
次に、図６を参照し、端末第二記憶領域１１２（図２参照）に記憶されている閲覧者個人情報を示すテーブルの一例について説明する。閲覧者個人情報は、閲覧端末１（図１参照）を使用してディスプレイ１０６（図２参照）に表示されるファイルを閲覧する閲覧者の個人情報である。図６に示すように、閲覧者個人情報を示すテーブルには、閲覧端末名２４１、性別２４２、年代２４４、職業２４６の項目と、閲覧端末１から印刷装置２（図１参照）に対しての送信が許可されているか否かの情報である送信許可情報の項目とが設けられている。具体的には、性別２４２の項目に対応する送信許可２４３、年代２４４の項目に対応する送信許可２４５、職業２４６の項目に対応する送信許可２４７が設けられている。
【００６０】
閲覧端末名２４１には、閲覧端末１を識別するための識別コードであり、あらかじめ閲覧端末１のＲＯＭ１０３（図１参照）に記憶されている、製品のシリアル番号等が、自動的に記憶される。
【００６１】
性別２４２には、閲覧端末１の閲覧者の性別情報であって「男」「女」のいずれかが記憶される。送信許可２４３には、閲覧端末１から印刷装置２（図１参照）に対して、性別２４２の情報の送信が許可されている場合には「許可」が記憶される。閲覧端末１から印刷装置２（図１参照）に対して、性別２４２の情報の送信が禁止されている場合には「不許可」が記憶される。
【００６２】
年代２４４には、閲覧者の年齢情報であって「〜１０代」「１０代」「２０代」「３０代」「４０代」「５０代」「６０代」「７０代〜」のいずれかが記憶される。送信許可２４５には、閲覧端末１から印刷装置２（図１参照）に対して、年代２４４の情報の送信が許可されている場合には「許可」が記憶される。閲覧端末１から印刷装置２（図１参照）に対して、年代２４４の情報の送信が禁止されている場合には「不許可」が記憶される。
【００６３】
職業２４６には、閲覧者の職業情報が記憶される。送信許可２４７には、閲覧端末１から印刷装置２（図１参照）に対して、職業２４６の情報の送信が許可されている場合には「許可」が記憶される。閲覧端末１から印刷装置２（図１参照）に対して、職業２４６の情報の送信が禁止されている場合には「不許可」が記憶される。
【００６４】
例えば、図６に示す例は、「ＡＡＡＡＡ」の閲覧端末名（閲覧端末名２４１：ＡＡＡＡＡ）を有する閲覧端末１の閲覧者個人情報を示すテーブルである。性別は「男」（性別２４２：男）で、閲覧端末１から印刷装置２（図１参照）に対する性別２４２の情報送信は許可されている（送信許可２４３：許可）。年代は「２０代」（年代２４４：２０代）で、閲覧端末１から印刷装置２（図１参照）に対する年代２４４の情報の送信は許可されている（送信許可２４５：許可）。職業は「開発」（職業２４６：開発）で、閲覧端末１から印刷装置２（図１参照）に対する職業２４６の情報の送信は禁止されている（送信許可２４７：不許可）。
【００６５】
次に、図７を参照し、端末第四記憶領域１１４（図２参照）に記憶されている送信用情報を示すテーブルの一例について説明する。送信用情報は、端末第一記憶領域１１１（図２参照）に記憶されている評価情報、及び、端末第二記憶領域１１２（図２参照）に記憶されている閲覧者個人情報から抽出された、閲覧端末１から印刷装置２（図１参照）に対して送信される情報である。抽出する場合には、閲覧端末１から印刷装置２（図１参照）に対する送信が許可されている情報であるか否か、いまだ閲覧端末１から印刷装置２（図１）に対して送信されていない情報であるか否か、他の評価情報と比較して相対的に評価度合の高い情報であるか否か、印刷装置２（図１参照）より強制的に送信要求された情報であるか否か、が判断される。図７に示すように、送信用情報を示すテーブルには、名称２２１、閲覧回数２２２、閲覧時間２２３、評価値２２４、マーク情報２２５、閲覧端末名２２６、性別２２７、年代２２８、職業２２９の項目が設けられている。名称２２１、閲覧回数２２２、閲覧時間２２３、評価値２２４、及びマーク情報２２５には、端末第一記憶領域１１１（図２参照）に記憶されている評価情報より抽出した情報が記憶される。また、閲覧端末名２２６、性別２２７、年代２２８、及び職業２２９の項目には、端末第二記憶領域１１２（図２参照）に記憶されている閲覧者個人情報より抽出した情報が記憶される。
【００６６】
閲覧回数２２２、閲覧時間２２３、評価値２２４、及びマーク情報２２５は、名称２２１のファイル毎に分類されている。閲覧回数２２２には、端末第一記憶領域１１１（図５参照）に記憶されている評価情報の閲覧回数（図５参照）のうち、閲覧端末１から印刷装置２（図１参照）に対して送信される情報として次のように抽出した閲覧回数が記憶される。すなわち、評価情報の送信許可２０２（図５参照）において「許可」が記憶されており、且つ、閲覧回数の送信済フラグ２０４（図５参照）に「未」が記憶されている名称２０１のファイルが選択される。次に、選択された閲覧回数２０３（図５参照）に記憶されている閲覧回数のうち、回数が大きいものから順に３つが抽出される。そして、名称２２１に記憶されている名称とともに送信用情報として端末第四記憶領域１１４（図２参照）に記憶される。このことにより閲覧端末１は、閲覧端末１から印刷装置２（図１参照）に対する送信が許可されている評価情報であり、且ついまだ閲覧端末１から印刷装置２（図１参照）に対して送信されていない評価情報のうち、閲覧回数の大きい情報を優先して抽出することが可能となる。
【００６７】
閲覧時間２２３には、端末第一記憶領域１１１（図５参照）に記憶されている評価情報の閲覧時間（図５参照）のうち、閲覧端末１から印刷装置２（図１参照）に対して送信される情報として次のように抽出した閲覧時間が記憶される。すなわち、評価情報の送信許可２０２（図５参照）において「許可」が記憶されており、且つ、閲覧時間の送信済フラグ２０６（図５参照）に「未」が記憶されている名称２０１のファイルが選択される。次に、選択された閲覧時間２０５（図５参照）に記憶されている閲覧時間のうち、時間が長いものから順に３つが抽出される。そして、名称２２１に記憶されている名称とともに送信用情報として端末第四記憶領域１１４（図２参照）に記憶される。このことにより閲覧端末１は、閲覧端末１から印刷装置２（図１参照）に対する送信が許可されている評価情報であり、且ついまだ閲覧端末１から印刷装置２（図１参照）に対して送信されていない評価情報のうち、閲覧時間の長い情報を優先して抽出することが可能となる。
【００６８】
評価値２２４には、端末第一記憶領域１１１（図５参照）に記憶されている評価情報の評価値（図５参照）のうち、閲覧端末１から印刷装置２（図１参照）に対して送信する情報として次のように抽出した評価値が記憶される。すなわち、評価情報（図５参照）の送信許可２０２において「許可」が記憶されており、且つ、評価値の送信済フラグ２０８（図５参照）に「未」が記憶されている名称２０１のファイルが選択される。次に、選択された評価値２０７（図５参照）に記憶されている評価値のうち、評価値が大きいものから順に３つが抽出される。そして、名称２２１に記憶されている名称とともに送信用情報として端末第四記憶領域１１４（図２参照）に記憶される。このことにより閲覧端末１は、閲覧端末１から印刷装置２（図１参照）に対する送信が許可されている評価情報であり、且ついまだ閲覧端末１から印刷装置２（図１参照）に対して送信されていない評価情報のうち、評価の高い情報を優先して抽出することが可能となる。
【００６９】
印刷装置２（図１参照）より強制的に送信要求のあった名称、閲覧回数、閲覧時間、及び評価値が端末第一記憶領域１１１（図５参照）より抽出され、送信用情報として端末第四記憶領域１１４（図２参照）に記憶される。なお、印刷装置２（図１参照）からの強制的な送信要求については、後述（図９、図１２）にて詳説する。
【００７０】
閲覧端末名２２６、性別２２７、年代２２８、職業２２９には、端末第二記憶領域１１２（図６参照）に記憶されている閲覧者個人情報のうち、閲覧端末１から印刷装置２（図１参照）に対する送信が許可されている閲覧者個人情報が抽出され記憶される。具体的には、閲覧端末名２２６には、閲覧端末名２４１（図６参照）に記憶されている閲覧端末名が抽出されて記憶される。性別２２７には、送信許可２４３（図６参照）に「許可」が記憶されている場合に、性別２４２（図６参照）に記憶されている性別が抽出されて記憶される。年代２２８には、送信許可２４５（図６参照）に「許可」が記憶されている場合に、年代２４４（図６参照）に記憶されている年代が抽出されて記憶される。職業２２９には、送信許可２４７（図６参照）に「許可」が記憶されている場合に、職業２４６（図６参照）に記憶されている職業が抽出されて記憶される。
【００７１】
例えば、図７に示す例は、図５に示す評価情報、及び図６に示す閲覧者個人情報より抽出した送信用情報を示している。図５に示す評価情報中、送信許可２０２（図５参照）に「許可」が記憶されており、且つ、送信済フラグ２０４（図５参照）に「未」が記憶されている閲覧回数（図５参照）が抽出される（「文書Ａ」、「文書Ｂ」、「文書Ｃ」、「文書Ｄ」、「文書Ｅ」、「文書Ｆ」）。次に、抽出された閲覧回数のうち、閲覧回数が多い順に３つが名称とともに抽出される（「文書Ｂ」：１０回、「文書Ｆ」：８回、「文書Ａ」：５回）。次に、図５に示す評価情報中、送信許可２０２（図５参照）に「許可」が記憶されており、且つ、送信済フラグ２０６（図５参照）に「未」が記憶されている閲覧時間（図５参照）が抽出される（「文書Ｂ」、「文書Ｃ」、「文書Ｄ」、「文書Ｅ」、「文書Ｆ」）。次に、抽出された閲覧時間のうち、閲覧時間が長い順に３つが名称とともに抽出される（「文書F」：２２時間１３分、「文書Ｅ」：６時間１０分、「文書Ｂ」：５時間１５分）。次に、図５に示す評価情報中、送信許可２０２（図５参照）に「許可」が記憶されており、且つ、送信済フラグ２０８（図５参照）に「未」が記憶されている評価値（図５参照）が抽出される（「文書Ａ」、「文書Ｃ」、「文書Ｄ」、「文書Ｅ」、「文書Ｆ」）。次に、抽出された評価値のうち、閲覧回数が多い順に３つが名称とともに抽出される（「文書Ｆ」：１０、「文書Ｃ」：７、「文書Ｅ」：６）。そして、上記にて抽出されたファイルに関するマーク情報（２０９，２１１，２１３、図５参照）のうち、送信済フラグが「未」であるマーク情報が抽出される（「文書Ａ」：Ｐ５，Ｌ２−３、Ｐ８，Ｌ６、「文書Ｂ」：Ｐ６，Ｌ３、「文書Ｆ」：Ｐ１２，Ｌ５、Ｐ３０，Ｌ１５）。そしてこれらの情報が、端末第四記憶領域１１４に記憶される（なお、図中「文書Ｉ」に関する情報については、印刷装置２（図１参照）より閲覧端末１に対して強制的に送信要求のあった情報を示している。詳細は後述する。）。
【００７２】
また、図６に示す評価情報中、閲覧端末名として「ＡＡＡＡＡ」（閲覧端末名２４１：ＡＡＡＡＡ）が抽出される。性別２４２（図６参照）の情報に対応する送信許可２４３には「許可」が記憶されているため、「男」（性別２４２：男）が抽出される。年代２４４（図６参照）の情報に対応する送信許可２４５には「許可」が記憶されているため、「２０代」（年代２４４：２０代）が抽出される。職業２４６（図６参照）の情報に対応する送信許可２４７には「不許可」が記憶されているため、情報として抽出されない。そしてこれらの情報が、端末第四記憶領域１１４に記憶される。
【００７３】
以上のように、閲覧端末１から印刷装置２（図１参照）に対しての送信が許可された評価情報のうち、ファイルに対する閲覧者の評価度合の高い情報のみが抽出されて印刷装置２（図１参照）に送信される。これにより印刷装置２は、他の閲覧者にとって有用な評価情報を優先的に収集することが可能となる。また、閲覧端末１から印刷装置２に対して送信される評価情報のデータ量を極力少なくすることができるため、収集の際の通信トラフィックの増大を抑制することができる。
【００７４】
次に、図８、及び図９を参照し、スレーブ印刷装置５，６の記憶装置１４４（図３参照）が備える記憶エリアの詳細について説明する。図８は、スレーブ第一記憶領域１５１に記憶されている送信用情報を示すテーブルの一例を示しており、図９は、スレーブ第三記憶領域１５３に記憶されている強制受信情報を示すテーブルの一例を示している。
【００７５】
はじめに、図８を参照し、送信用情報を示すテーブルの一例について説明する。スレーブ印刷装置５，６は、閲覧端末１（図１参照）から評価情報と閲覧者個人情報とを受信した後、その情報をマスタ印刷装置４（図１参照）に転送する。このためにスレーブ印刷装置５，６は、一旦、受信した情報をそのままスレーブ第一記憶領域１５１（図３参照）に記憶する。従って、図８は、閲覧端末１の端末第四記憶領域１１４（図２参照）に記憶されている送信用情報を示すテーブル（図７参照）と同一の情報を示している。図８に示すように、送信用情報を示すテーブルには、名称２６１、閲覧回数２６２、閲覧時間２６３、評価値２６４、マーク情報２６５、閲覧端末名２６６、性別２６７、年代２６８、職業２６９の項目が設けられている。
【００７６】
次に、図９を参照し、強制受信情報を示すテーブルの一例について説明する。スレーブ印刷装置５，６（図１参照）が閲覧端末１（図１参照）より印刷指示と併せて受信できる評価情報は、原則、閲覧端末１（図１参照）が印刷装置２（図１参照）への送信を許可している情報のみである。すなわち、閲覧端末１の端末第一記憶領域１１１（図５参照）のうち、送信許可２０２（図５参照）に「許可」が記憶されている名称２０１のファイルに関する情報のみである。しかしながら、送信許可２０２（図５参照）に「不許可」が記憶され、印刷装置２（図１参照）への送信が禁止されているファイルであっても、マスタ印刷装置４（図１参照）にて収集を要望する評価情報については、マスタ印刷装置４は強制的に閲覧端末１（図１参照）より収集することが可能となる。具体的には、強制受信情報に情報を記憶することにより、マスタ印刷装置４は強制的に閲覧端末１（図１参照）より収集することが可能となる。
【００７７】
図９に示すように、強制受信情報を示すテーブルには、名称２８１、強制送信−閲覧回数２８２、強制送信−閲覧時間２８３、強制送信−評価値２８４の項目が設けられている。名称２８１には、強制的に収集されるファイルの名称が記憶される。強制送信−閲覧回数２８２、強制送信−閲覧時間２８３、強制送信−評価値２８４には、マスタ印刷装置４（図１参照）にて強制的に閲覧端末１から閲覧回数、閲覧時間、評価値の受信を要望する場合にそれぞれ「ＯＮ」が記憶される。
【００７８】
例えば、図９に示す例においては、強制受信情報として、名称が「文書Ｂ」（名称２８１：文書Ｂ）のファイルの閲覧回数（閲覧回数２８２：ＯＮ）、閲覧時間（閲覧時間２８３：ＯＮ）、及び評価値（評価値２８４：ＯＮ）の強制的な受信を要望することが設定されている。また、名称が「文書Ｉ」（名称２８１：文書Ｉ）のファイルの閲覧回数（閲覧回数２８２：ＯＮ）の強制的な受信を要望することが設定されている。このことにより、強制受信情報をスレーブ印刷装置５，６（図１参照）より受信した閲覧端末１（図１参照）は、強制受信情報と一致する情報については、強制的にスレーブ印刷装置５，６（図１参照）に対して送信する。閲覧端末１（図１参照）にて印刷装置２（図１参照）への送信が禁止されている場合であっても、閲覧端末は情報を印刷装置２に対して送信する。例えば、図９に示す強制受信情報を受信した閲覧端末１（図１参照）は、図７に示すような送信用情報を作成する。すなわち、「文書Ｉ」に関して閲覧端末１から印刷装置２（図１参照）に対しての送信が不許可（送信許可２０２、図５参照）となっている場合であっても、閲覧端末１は、閲覧回数に関する情報を印刷装置２（図１参照）に対して送信しなければならない。このため、端末第四記憶領域１１４（図２参照）の送信情報を示すテーブルに、文書Ｉに対応する閲覧回数の情報が記憶される。
【００７９】
次に、図１０〜図１２を参照し、マスタ印刷装置４（図１参照）の記憶装置１７４（図４参照）が備えている記憶エリアの詳細について説明する。図１０は、マスタ第一記憶領域１８１に記憶されている評価情報収集データを示すテーブルの一例を示しており、図９は、マスタ第二記憶領域１８２に記憶されている閲覧者個人情報収集データを示すテーブルの一例を示しており、図１０は、マスタ第四記憶領域１８４に記憶されている強制受信情報を示すテーブルの一例を示している。
【００８０】
はじめに、図１０を参照し、マスタ第一記憶領域１８１に記憶されている評価情報収集データを示すテーブルの一例について説明する。評価情報収集データは、閲覧端末１（図１参照）よりファイルの印刷指示と併せて送信された評価情報をマスタ印刷装置４（図１参照）が受信、収集した場合における、収集した評価情報である。マスタ印刷装置４は、評価情報を閲覧端末１（図１参照）とスレーブ印刷装置５，６（図１参照）との両方より受信する。なお図１０は、図７及び図８にて示した閲覧端末１（図１参照）またはスレーブ印刷装置５，６（図１参照）の送信用情報が、マスタ印刷装置４に対して未だ受信されていない状態における、マスタ印刷装置４に記憶されている評価情報収集データを表している。従って、図５の各情報のうち、既に評価情報収集データとしてマスタ印刷装置４に記憶されている情報に関しては、送信済フラグが「済」となっており、これから受信する情報に関しては「未」となっている。
【００８１】
図１０に示すように、マスタ第一記憶領域１８１には、テーブル３１１〜３１４を含む、閲覧端末１（図１参照）毎に分類された複数のテーブルが記憶されている。評価情報収集データを示す各テーブルには、閲覧端末名３００、名称３０１、閲覧回数３０２、閲覧時間３０３、評価値３０４、マーク情報３０５の項目が設けられている。閲覧端末名３００には、評価情報の送信元の閲覧端末１（図１参照）の名称が記憶される。名称３０１には、閲覧端末名３００に記憶された名称の閲覧端末１（図１参照）において、閲覧者により評価されたファイルの名称が記憶される。閲覧回数３０２には、名称３０１に記憶されている名称のファイルが閲覧者により閲覧された回数が記憶される。閲覧時間３０３には、名称３０１に記憶されている名称のファイルが閲覧者により閲覧された時間が記憶される。評価値３０４には、名称３０１に記憶されている名称のファイルに対して閲覧者が判断した評価値が記憶される。マーク情報３０５には、名称３０１に記憶されている名称のファイル中に閲覧者がチェックしたマークの位置に関する情報が記憶されている。
【００８２】
例えば、図１０に示す例では、閲覧端末名が「ＡＡＡＡＡ」（閲覧端末名３００：ＡＡＡＡＡ）の閲覧端末１（図１参照）より収集した評価情報収集データが示されている。例えば名称が「文書Ａ」（名称３０１：文書Ａ）のファイルについては、閲覧回数は３回（閲覧回数３０２：３）である。閲覧時間は「３時間」（閲覧時間３０３：３：００）である。評価値の情報は存在しない（評価値３０４：−）。マーク情報は存在しない（マーク情報３０５：−）。名称が「文書Ｂ」（名称３０１：文書Ｂ）のファイルについて、閲覧回数は９回（閲覧回数３０２：９）である。閲覧時間は「４時間３０分」（閲覧時間３０３：４：３０）である。評価値は「８」（評価値３０４：８）である。マークは「１ページ目の１行目」「８ページ目の５行目から８行目」（マーク情報３０５：Ｐ１，Ｌ１、Ｐ８，Ｌ５−８）である。名称が「文書Ｃ」（名称３０１：文書Ｃ）のファイルについて、閲覧回数は存在しない（閲覧回数３０２：−）。閲覧時間は存在しない（閲覧時間３０３：−）。評価値は「６」（評価値３０４：６）である。マーク情報は「７ページ目の１０行目」である（マーク情報３０５：Ｐ７，Ｌ１０）。名称が「文書Ｄ」（名称３０１：文書Ｄ）のファイルについて、閲覧回数の情報は存在しない（閲覧回数３０２：−）。閲覧時間の情報は存在しない（閲覧時間３０３：−）。評価値の情報は存在しない（評価値３０４：−）。マークの情報は存在しない（マーク情報３０５：−）。名称が「文書Ｅ」（名称３０１：文書Ｅ）のファイルについて、閲覧回数は１回（閲覧回数３０２：１）である。閲覧時間は「２時間１０分」（閲覧時間３０３：２：１０）である。評価値は「７」（評価値３０４：７）である。マーク情報は存在しない（マーク情報３０５：−）。名称が「文書Ｆ」（名称３０１：文書Ｆ）のファイルについて、閲覧回数は７回（閲覧回数３０２：７）である。閲覧時間は「２０時間１８分」（閲覧時間３０３：２０：１８）である。評価値は「９」（評価値３０４：９）である。マークは「３ページ目の７行目」「６ページ目の２行目から３行目」「１０ページ目の１行目」（マーク情報３０５：Ｐ３，Ｌ７、Ｐ６，Ｌ２−３、Ｐ１０，Ｌ１）である。名称が「文書Ｇ」（名称３０１：文書Ｇ）のファイルについて、閲覧回数は１２回（閲覧回数３０２：１２）である。閲覧時間は「７時間２７分」（閲覧時間３０３：７：２７）である。評価値は「９」（評価値３０４：９）である。マークは「５ページ目の１２行目」「３ページ目の２行目から３行目」（マーク情報３０５：Ｐ５，Ｌ１２、Ｐ３，Ｌ２−３、）である。名称が「文書Ｈ」（名称３０１：文書Ｈ）のファイルについて、閲覧回数は存在しない（閲覧回数３０２：−）。閲覧時間は存在しない（閲覧時間３０３：−）。評価値は存在しない（評価値３０４：−）。マーク情報は存在しない（マーク情報３０５：−）。名称が「文書Ｉ」（名称３０１：文書Ｉ）のファイルについて、閲覧回数は４回（閲覧回数３０２：４）である。閲覧時間は「７時間５１分」（閲覧時間３０３：７：５１）である。評価値は存在しない（評価値３０４：−）。マークは「１２ページ目の５行目」「３ページ目の９行目から１３行目」「４ページ目の１０行目」「１２ページ目の１５行目」（（マーク情報３０５：Ｐ１２，Ｌ５、Ｐ３，Ｌ９−１３、Ｐ４，Ｌ１０Ｐ１２，Ｌ１５）である。
【００８３】
また、図示されていないが、同様の評価情報が、他の閲覧端末１（図１参照）に対応するテーブル３１２〜３１４に記憶されている（名称：ＢＢＢＢＢ（３１２）、名称：ＣＣＣＣＣ（３１３）、名称：ＤＤＤＤＤ（３１４））。
【００８４】
次に、図１１を参照し、マスタ第二記憶領域１８２に記憶されている閲覧者個人情報収集データを示すテーブルの一例について説明する。閲覧者個人情報収集データは、閲覧端末１（図１参照）よりファイルの送信指示と併せて送信された閲覧者個人情報をマスタ印刷装置４（図４参照）が受信、収集した場合における、収集した閲覧者個人情報である。マスタ印刷装置４は、閲覧者個人情報を閲覧端末１（図１参照）とスレーブ印刷装置５，６（図１参照）との両方より受信する。従って、これまでに受信した閲覧端末１の送信用情報、及び、スレーブ印刷装置５，６の送信用情報が記憶されている。
【００８５】
図１１に示すように、閲覧者個人情報収集データを示すテーブルは、閲覧端末名３４１を備えている。閲覧端末名を有する閲覧端末１に登録されている個人情報である、性別３４２、年代３４４、職業３４６を備えている。性別３４２には、閲覧端末１（図１参照）の閲覧者の性別情報が記憶される。具体的には「男」「女」のいずれかが記憶される。年代３４４には、閲覧端末１（図１参照）の閲覧者の年齢情報であって「〜１０代」「１０代」「２０代」「３０代」「４０代」「５０代」「６０代」「７０代〜」のいずれかが記憶される。職業３４６には、閲覧端末１（図１参照）の閲覧者の職業情報が記憶される。
【００８６】
例えば、図１１に示す例においては、閲覧端末名が「ＡＡＡＡＡ」（閲覧端末名３４１：ＡＡＡＡＡ）の閲覧端末１（図１参照）よりファイルを閲覧した閲覧者は、性別が「男」（性別３４２：男）である。年代が「２０代」（年代３４４：２０代）である。職業が不明（職業３４６：−）である。閲覧端末名が「ＢＢＢＢＢ」（閲覧端末名３４１：ＢＢＢＢＢ）の閲覧端末１（図１参照）よりファイルを閲覧した閲覧者は、性別が「男」（性別３４２：男）である。年代が「５０代」（年代３４４：５０代）である。職業が「営業」（職業３４６：営業）である。閲覧端末名が「ＣＣＣＣＣ」（閲覧端末名３４１：ＣＣＣＣＣ）の閲覧端末１（図１参照）よりファイルを閲覧した閲覧者は、性別が「女」（性別３４２：女）である。年代が「３０代」（年代３４４：３０代）である。職業が「事務」（職業３４６：事務）である。閲覧端末名が「ＤＤＤＤＤ」（閲覧端末名３４１：ＤＤＤＤＤ）の閲覧端末１（図１参照）よりファイルを閲覧した閲覧者は、性別が「男」（性別３４２：男）である。年代が不明（年代３４４：−）である。職業が「企画」（職業３４６：企画）である。閲覧端末名が「ＥＥＥＥＥ」（閲覧端末名３４１：ＥＥＥＥＥ）の閲覧端末１（図１参照）よりファイルを閲覧した閲覧者は、性別が不明（性別３４２：−）である。年代が「４０代」（年代３４４：４０代）である。職業が「開発」（職業３４６：開発）である。
【００８７】
次に、図１２を参照し、マスタ第四記憶領域１８４に記憶されている強制受信情報を示すテーブルの一例について説明する。マスタ印刷装置４（図１参照）が閲覧端末１（図１参照）より印刷指示と併せて受信できる評価情報は、原則、閲覧端末１（図１参照）が印刷装置２（図１参照）への送信を許可している情報のみである。すなわち、閲覧端末１の端末第一記憶領域１１１（図２参照）の送信許可２０２（図５参照）に「許可」が記憶されているファイルに関する情報のみである。しかしながら、送信許可２０２（図５参照）に「不許可」が記憶され、印刷装置２（図１参照）への送信が禁止されている評価情報であっても、マスタ印刷装置４（図４参照）は、強制受信情報に受信を要望する情報を記憶し、強制的に禁止された評価情報を閲覧端末１（図１参照）より収集している。
【００８８】
図１２に示すように、強制受信情報を示すテーブルには、名称３２１、強制送信−閲覧回数３２２、強制送信−閲覧時間３２３、強制送信−評価値３２４の項目が設けられている。このうち、名称３２１には、強制的に収集されるファイルの名称が記憶される。強制送信−閲覧回数３２２、強制送信−閲覧時間３２３、強制送信−評価値３２４には、マスタ印刷装置４（図１参照）にて強制的に閲覧端末１から閲覧回数、閲覧時間、評価値の受信を要望する場合にそれぞれ「ＯＮ」が記憶される。
【００８９】
例えば、図１２に示す例においては、強制受信情報として、名称が「文書Ｂ」（名称３２１：文書Ｂ）のファイルに対して、閲覧回数（強制送信−閲覧回数３２２：ＯＮ）、閲覧時間（強制送信−閲覧時間３２３：ＯＮ）、及び評価値（強制送信−評価値３２４：ＯＮ）が設定されている。また、名称が「文書Ｉ」（名称３２１：文書Ｉ）のファイルに対しての、閲覧回数（強制送信−閲覧回数３２２：ＯＮ）が設定されている。このことにより、この強制受信情報をマスタ印刷装置４（図１参照）より受信した閲覧端末１（図１参照）は、強制受信情報と一致する情報については、閲覧端末１（図１参照）にて印刷装置２（図１参照）への送信が禁止されている場合であっても、強制的にマスタ印刷装置４（図１参照）に対して送信する。
【００９０】
以上説明したように、マスタ印刷装置４は、閲覧端末１（図１参照）にて表示、閲覧されたファイルに対する評価情報として「閲覧回数」「閲覧時間」「評価値」「マーク情報」を閲覧端末１より収集する。このことにより、マスタ印刷装置４は、得られた評価情報収集データを、新たな閲覧者がファイルを選択する場合の選択基準として有効活用できる。また、マスタ印刷装置４が閲覧端末１やスレーブ印刷装置５，６より評価情報を収集する際、評価度合の高い情報のみを抽出して収集する。これにより、閲覧端末１（図１参照）と印刷装置２（図１参照）との間の通信データ量を少なくし、通信のトラフィックを抑制することが可能となる。また、評価情報とファイルの閲覧者の個人情報とを併せて収集することにより、評価を行った閲覧者の性別や年齢層、職業をマスタ印刷装置４にて把握することができる。従って、より詳細な評価情報の解析と活用が可能となる。さらに、閲覧端末１側で収集されたくない評価情報や個人情報については、収集を拒否することができる。これにより、閲覧者のプライバシーを保護することができる。さらに、印刷装置２（図１参照）側でどうしても収集したい評価情報がある場合には、印刷装置４は強制的に評価情報を収集する方法も備えている。従って、利用者の要求への柔軟な対応が可能となっている。
【００９１】
次に、図１３〜図１７を参照し、閲覧端末１（図１参照）の入力装置１０７（図２参照）を介した入力操作に基づく評価情報取得処理について説明する。ここで、閲覧端末１（図１参照）が実行する処理としては、閲覧端末メイン処理において実行される評価値情報保存処理、マーク情報保存処理、及び閲覧端末通信処理がある。閲覧端末メイン処理は、閲覧端末１のＣＰＵ１０１が、閲覧時間及び閲覧回数を算出し記憶する処理である。評価値情報保存処理は、閲覧者により入力装置１０７（図２参照）を介して入力された評価値情報を記憶させる処理である。マーク情報保存処理は、閲覧者により入力装置１０７（図２参照）を介して入力されたマーク情報を記憶させる処理である。閲覧端末通信処理は、閲覧端末１のＣＰＵ１０１が、印刷装置２（図１参照）に対し、印刷指示とともに評価情報及び閲覧者個人情報とからなる送信用情報を送信する制御を行う処理である。図１３は、閲覧端末メイン処理のメインフローチャートであり、図１４は、評価値情報保存処理のサブルーティンフローチャートであり、図１５は、マーク情報保存処理のサブルーティンフローチャートであり、図１６は、閲覧端末通信処理のサブルーティンフローチャートであり、図１７は、記憶する評価情報及び閲覧者個人情報のうち印刷装置２（図２参照）に送信する情報を選択する、送信用情報選択処理のサブルーティンフローチャートである。
【００９２】
はじめに、図１３を参照し、閲覧端末１（図１参照）のＣＰＵ１０１が実行するファイル表示処理、評価値情報保存処理、マーク情報保存処理、及び閲覧端末通信処理を含む閲覧端末メイン処理について説明する。なお本処理は、ユーザによる閲覧端末１（図１参照）の電源ＯＮの操作により開始する。
【００９３】
図１３に示すように、閲覧端末１（図１参照）のＣＰＵ１０１は、はじめに、閲覧者にファイルを選択させるためのファイル選択画面をディスプレイ１０６に表示させる（Ｓ１０１）この状態で、閲覧者により入力装置１０７（図２参照）を介した入力処理が行われず、いずれのファイルも選択されない場合は（Ｓ１０３：ＮＯ）、ＣＰＵ１０１は、閲覧端末１（図１参照）の電源スイッチ１０８（図２参照）の押下を監視する（Ｓ１０５）。電源スイッチ１０８（図２参照）の押下を検出した場合（Ｓ１０５：ＹＥＳ）、ＣＰＵ１０１は、閲覧者により電源ＯＦＦの操作がなされたと判断し、以降の処理を行わず処理を終了する。また、電源スイッチ１０８（図２参照）の押下を検出しなかった場合（Ｓ１０５：ＮＯ）、ＣＰＵ１０１は、Ｓ１０１に戻りファイル選択画面を表示させ、継続して閲覧者からの選択入力を監視する（Ｓ１０３）。
【００９４】
そして、ＣＰＵ１０１が閲覧者による入力装置１０７（図２参照）を介した入力操作を検知し、いずれかのファイルが選択されたと判断した場合（Ｓ１０３：ＹＥＳ）、次にＣＰＵ１０１は、選択されたファイルの閲覧時間を算出するために、カウンタを「０」で初期化し、カウンタ更新を開始する（Ｓ１０７）。なおこのカウンタは、ＣＰＵ１０１（図２参照）の内蔵する定周期タイマにより別途カウントアップされるカウンタである。ＣＰＵ１０１は、最終的にカウンタの値と周期を乗算することにより、閲覧時間を得る。
【００９５】
カウンタ更新開始の後、ＣＰＵ１０１は、選択されたファイルを端末第三記憶領域１１３（図２参照）より読み出し、ディスプレイ１０６（図２参照）に表示させる（Ｓ１０９）。次にＣＰＵ１０１は、閲覧回数を更新する（Ｓ１１１）。具体的には、ＣＰＵ１０１は、端末第一記憶領域１１１（図５参照）に記憶された評価情報を示すテーブルにおいて、表示中のファイルの名称と同一の名称（図５参照）を有するファイルの閲覧回数２０３の項目（図５参照）のデータに「１」を加算する。また、送信済フラグの項目（図５参照）に、「未」を記憶する（Ｓ１１１）。
【００９６】
この状態で、閲覧者はディスプレイ１０６（図２参照）に表示されたファイルを閲覧可能な状態となる。なおファイル表示状態では、ディスプレイ１０６（図２参照）には、ファイルの他に、評価情報の入力メニュー、印刷指示メニュー、及び、閲覧終了と次のファイル選択メニューが表示されている。そして閲覧者により、必要に応じて、入力装置１０７（図２参照）を介し各種評価情報の入力、ファイルの印刷指示、新たな閲覧ファイルの表示選択等が可能な状態となっている。この状態でＣＰＵ１０１は、閲覧者により評価値情報入力が選択されたか否かを監視する（Ｓ１１３）。評価値情報入力が選択されたと判断した場合は（Ｓ１１３：ＹＥＳ）、ＣＰＵ１０１は、入力された評価値情報を端末第一記憶領域１１１（図２参照）に保存する処理である、評価値情報保存処理を実行する（Ｓ１１７、図１４参照、後述）。次いでＣＰＵ１０１はＳ１１９の処理を実行する。一方、閲覧者により評価値情報入力が選択されなかった場合（Ｓ１１３：ＮＯ）、次にＣＰＵ１０１は、閲覧者により電源スイッチ１０８（図２参照）が押下されたか否かを監視する（Ｓ１１５）。電源スイッチ１０８（図２参照）の押下を検出した場合（Ｓ１１５：ＹＥＳ）、ＣＰＵ１０１は電源ＯＦＦの操作がなされたと判断し、以降の処理を行わず処理を終了する。またＣＰＵ１０１は、電源スイッチ１０８（図２参照）の押下を検出しなかった場合（Ｓ１１５：ＮＯ）、Ｓ１１９の処理を実行する。
【００９７】
次にＣＰＵ１０１は、閲覧者によりマーク情報入力が選択されたか否かを監視する（Ｓ１１９）。マーク情報入力が選択されたと判断した場合は（Ｓ１１９：ＹＥＳ）、ＣＰＵ１０１は、入力されたマーク情報を端末第一記憶領域１１１（図２参照）に保存する処理である、マーク情報保存処理を実行する（Ｓ１２３、図１５参照、後述）。次いでＣＰＵ１０１はＳ１２５の処理を実行する。一方、マーク情報入力が選択されなかった場合（Ｓ１１９：ＮＯ）、ＣＰＵ１０１は、閲覧端末１（図１参照）の電源スイッチ１０８（図２参照）の押下を監視する（Ｓ１２１）。電源スイッチ１０８（図２参照）の押下を検出した場合（Ｓ１２１：ＹＥＳ）、ＣＰＵ１０１は電源ＯＦＦの操作がなされたと判断して以降の処理を行わず処理を終了する。また、電源スイッチ１０８（図２参照）の押下を検出しなかった場合（Ｓ１２１：ＮＯ）、ＣＰＵ１０１はＳ１２５の処理を実行する。
【００９８】
次にＣＰＵ１０１は、閲覧者によりファイルの印刷指示が入力されたか否かを監視する（Ｓ１２５）。印刷指示が選択されたと判断した場合は（Ｓ１２５：ＹＥＳ）、ＣＰＵ１０１は、併せて選択されたファイルを印刷装置２（図１参照）より印刷するために、印刷装置２（図１参照）に対してファイルの印刷指示を送信する処理である、閲覧端末通信処理を実行する（Ｓ１２９、図１６参照、後述）。次いでＣＰＵ１０１はＳ１３１の処理を実行する。一方、閲覧者により印刷指示が選択されなかった場合（Ｓ１２５：ＮＯ）、ＣＰＵ１０１は、閲覧者による閲覧端末１（図１参照）の電源スイッチ１０８（図２参照）の押下を監視する（Ｓ１２７）。電源スイッチ１０８（図２参照）の押下を検出した場合（Ｓ１２７：ＹＥＳ）、ＣＰＵ１０１は、電源ＯＦＦの操作がなされたと判断して以降の処理を行わず処理を終了する。また、電源スイッチ１０８（図２参照）の押下を検出しなかった場合（Ｓ１２７：ＮＯ）、ＣＰＵ１０１はＳ１３１の処理を実行する。
【００９９】
Ｓ１３１では、ＣＰＵ１０１は、閲覧者が表示中のファイルの閲覧を終了させ、次の新しいファイルを閲覧するために新たなファイルが選択されたか否かを監視する（Ｓ１３１）。閲覧者により新たなファイルが選択されたと判断した場合（Ｓ１３１：ＹＥＳ）、ＣＰＵ１０１は、閲覧時間を更新する。具体的には、ＣＰＵ１０１は、端末第一記憶領域１１１（図５参照）に記憶された評価情報示すテーブルにおいて、表示中のファイルの名称と同一の名称（図５参照）を有するファイルの閲覧時間２０５の項目（図５参照）のデータに、閲覧時間を加算する。閲覧時間とは、カウンタの値とＣＰＵ１０１（図２参照）の定周期タイマの周期とを乗算して得られる時間である。またＣＰＵ１０１は、送信済フラグ２０４（図５参照）に、「未」を記憶する（Ｓ１３３）。そしてＳ１０７に戻り、ＣＰＵ１０１は、新たに選択され表示されたファイルに対する評価情報の保存処理を繰り返す。
【０１００】
一方、新たなファイルが選択されなかった場合（Ｓ１３１：ＮＯ）、ＣＰＵ１０１は電源スイッチ１０８（図２参照）の押下を監視する（Ｓ１３５）。そして、押下を検出した場合（Ｓ１３５：ＹＥＳ）、ＣＰＵ１０１は、電源ＯＦＦの操作がなされたと判断し、閲覧時間を更新する。具体的には、ＣＰＵ１０１は、端末第一記憶領域１１１（図５参照）のうち、表示していたファイルの名称と同一の名称（図５参照）を有するファイルの閲覧時間２０５の項目（図５参照）のデータに、閲覧時間を加算する。ここで閲覧時間とは、カウンタの値とＣＰＵ１０１（図２参照）の定周期タイマの周期とを乗算して得られる時間である。またＣＰＵ１０１は、送信済フラグ２０４（図５参照）の項目に、「未」を記憶する（Ｓ１３７）。そして処理を終了する。また、電源スイッチ１０８（図２参照）の押下が検出されなかった場合（Ｓ１３５：ＮＯ）、Ｓ１１３に戻って、ＣＰＵ１０１は、ファイルの表示と、評価情報入力の監視を継続して行う。
【０１０１】
次に、評価値情報保存処理の詳細について、図１４を参照し説明する。評価値情報保存処理においては、ディスプレイ１０６（図２参照）にファイルを表示している状態で閲覧者により評価値情報入力が選択されると、閲覧端末１のＣＰＵ１０１は、次に評価値入力画面を表示させる。そしてＣＰＵ１０１は、閲覧者からの評価値情報入力を受け付ける。この状態で入力装置１０７（図２参照）を介して閲覧者により入力された評価値情報を、端末第一記憶領域１１１の評価値２０７（図５参照）に記憶させる。評価値情報とは、ファイルに対する評価度合を１０段階評価にて示した情報である。
【０１０２】
図１４に示すように、評価値情報保存処理では、ＣＰＵ１０１は、タイムアウトカウンタを「０」にて初期化する（Ｓ１５１）。タイムアウトカウンタは、閲覧端末１（図１参照）が評価値情報入力画面（後述）を表示している状態でカウントアップされるカウンタである。このカウンタが所定の閾値以上となった場合に、ＣＰＵ１０１は入力がなされなかったと判断し、元に戻ってファイル表示画面を表示させる処理を実行する。なお、このカウンタは、ＣＰＵ１０１（図２参照）が内蔵する定周期タイマにより別途カウントアップされる。本実施例においては、ＣＰＵ１０１は、「タイムアウトカウンタ×定周期タイマの周期」の時間が１５秒以上となった場合にタイムアウト時間が経過したと判断する。
【０１０３】
次にＣＰＵ１０１は、ディスプレイ１０６（図２参照）に評価値情報入力画面を表示させる（Ｓ１５３）。ＣＰＵ１０１は、閲覧者により入力装置１０７（図２参照）を介して評価値の入力がなされるかどうかを監視する（Ｓ１５５）。閲覧者により入力装置１０７（図２参照）を介して評価値が入力されたと判断した場合（Ｓ１５５：ＹＥＳ）、ＣＰＵ１０１は、端末第一記憶領域１１１（図５参照）のうち、表示中のファイルの名称と同一の名称（図５参照）を有するファイルの評価値２０７の項目（図５参照）のデータに、入力された評価値を上書きして記憶する。また、送信済フラグ２０８（図５参照）に「未」を記憶する（Ｓ１６１）。
【０１０４】
一方、この状態で、閲覧者からの入力操作が行われない状態で（Ｓ１５５：ＮＯ）、ＣＰＵ１０１が電源スイッチ１０８（図２参照）の押下を検出した場合（Ｓ１５７：ＹＥＳ）、電源ＯＦＦの操作がなされたと判断して評価値情報を保存せずＳ１６３の処理に移行する。ＣＰＵ１０１はＳ１６３の処理を実行する。また、電源スイッチ１０８（図２参照）の押下を検出しなかった場合には（Ｓ１５７：ＮＯ）、ＣＰＵ１０１は、タイムアウトカウンタを監視する（Ｓ１５９）。ＣＰＵ１０１がタイムアウトを検出しない状況では（Ｓ１５９：ＮＯ）、Ｓ１５３に戻り、ＣＰＵ１０１は評価値情報の入力を監視する処理を繰り返す。タイムアウトを検出した場合（Ｓ１５９：ＹＥＳ）、ＣＰＵ１０１は評価値情報を保存せず、Ｓ１６３の処理を実行する。
【０１０５】
その後、Ｓ１６３において、ＣＰＵ１０１は、ディスプレイ１０６（図２参照）の表示を、評価値情報入力画面から元のファイル表示画面に戻す（Ｓ１６３）。そして処理を終了して閲覧端末メイン処理（図１３参照）に戻る。
【０１０６】
以上の処理により、閲覧端末１（図１参照）は、表示中のファイルに対する閲覧者の評価値情報を、端末第一記憶領域１１１（図５参照）に保存する。また閲覧端末１は、印刷装置２（図１参照）への評価情報の送信が既に実行されているか否かを示すフラグ情報を、記憶した評価値情報に付加する。
【０１０７】
次に、マーク情報保存処理の詳細について、図１５を参照し説明する。マーク情報保存処理においては、閲覧端末１のＣＰＵ１０１は、ディスプレイ１０６（図２参照）にファイルを表示している状態で閲覧者によりマーク情報入力が選択された場合、次にマーク情報入力画面を表示させる。そして閲覧者からのマーク情報の入力が受け付けられる。入力装置１０７（図２参照）を介して閲覧者により入力されたマーク情報は、端末第一記憶領域１１１のマーク２０９、２１１、２１３（図５参照）等の空欄に追加して記憶される。
【０１０８】
図１５に示すように、マーク情報保存処理では、ＣＰＵ１０１は、タイムアウトカウンタを「０」にて初期化する（Ｓ１８１）。タイムアウトカウンタは、閲覧端末１（図１参照）がマーク情報入力画面（後述）を表示している状態でカウントアップされるカウンタである。このカウンタが所定の閾値以上となった場合に、ＣＰＵ１０１は入力がなされなかったと判断し、元に戻ってファイル表示画面を表示させる処理を実行する。なお、このカウンタは、ＣＰＵ１０１（図２参照）が内蔵する定周期タイマにより別途カウントアップされる。本実施例においては、ＣＰＵ１０１は、「タイムアウトカウンタ×定周期タイマの周期」の時間が１５秒以上となった場合にタイムアウト時間が経過したと判断する。
【０１０９】
次にＣＰＵ１０１は、ディスプレイ１０６（図２参照）にマーク情報入力画面を表示させる（Ｓ１８３）。ＣＰＵ１０１は、閲覧者により入力装置１０７（図２参照）を介してマーク情報の入力がなされるかどうかを監視する（Ｓ１８５）。閲覧者により入力装置１０７（図２参照）を介してマーク情報が入力されたと判断した場合（Ｓ１８５：ＹＥＳ）、ＣＰＵ１０１は、端末第一記憶領域１１１（図５参照）中、表示中のファイルの名称と同一名称（図５参照）を有するファイルのマーク２０９、２１１、２１３・・・の項目（図５参照）のデータのうち空欄に、入力されたマーク情報を記憶する。また、送信済フラグ２１０、２１２、２１４・・・（図５参照）に「未」を記憶する（Ｓ１９１）。
【０１１０】
一方、閲覧者からの入力操作が行われない状態で（Ｓ１８５：ＮＯ）、電源スイッチ１０８（図２参照）の押下を検出した場合（Ｓ１８７：ＹＥＳ）、ＣＰＵ１０１は、電源ＯＦＦの操作がなされたと判断してマーク情報を保存せず、Ｓ１９３の処理を実行する。また、電源スイッチ１０８（図２参照）の押下を検出しなかった場合には（Ｓ１８７：ＮＯ）、ＣＰＵ１０１は、タイムアウトカウンタを監視する（Ｓ１８９）。ＣＰＵ１０１がタイムアウトを検出しない状況では（Ｓ１８９：ＮＯ）、Ｓ１８３に戻り、マーク情報の入力を監視する処理を繰り返す。タイムアウトを検出した場合（Ｓ１８９：ＹＥＳ）、ＣＰＵ１０１はマーク情報を保存せず、Ｓ１９３の処理を実行する。
【０１１１】
Ｓ１９３において、ＣＰＵ１０１は、ディスプレイ１０６（図２参照）の表示を、マーク情報入力画面から元のファイル表示画面に戻す（Ｓ１９３）。そして処理を終了して閲覧端末メイン処理（図１３参照）に戻る。
【０１１２】
以上の処理により、閲覧端末１（図１参照）は、表示中のファイルに対する閲覧者のマーク情報を、端末第一記憶領域１１１（図２参照）に保存する。また、閲覧端末１は、印刷装置２（図１参照）へのマーク情報の送信が既に実行されているか否かを示すフラグ情報を、記憶したマーク情報に付加する。
【０１１３】
次に、図１６及び図１７を参照し、閲覧端末通信処理について説明する。閲覧端末通信処理は、閲覧端末１（図１参照）が印刷装置２（図１参照）と通信を行う場合において、ＣＰＵ１０１により実行される処理である。閲覧端末通信処理においては、閲覧端末１（図１参照）より印刷装置２（図１参照）に対し、ファイルの印刷指示を送信する場合に、ＣＰＵ１０１は、併せて端末第四記憶領域１１４（図２参照）に記憶された送信用情報を送信する。ここで送信用情報とは、閲覧端末１の端末第一記憶領域１１１（図５参照）から選択される情報である。送信用情報としては、印刷装置２（図１参照）への送信が許可されている評価情報であって他の評価情報と比較して相対的に評価度合の高い評価情報が選択される。また、印刷装置２のスレーブ第三記憶領域１５３（図３参照）に記憶されている強制受信情報と一致する評価情報が選択される。また、閲覧端末１の端末第二記憶領域１１２（図６参照）に記憶されている情報のうち、印刷装置２（図１参照）への送信が許可されている情報が選択される。
【０１１４】
図１６に示すように、閲覧端末通信処理では、ユーザにより、通信媒体が有線であれば閲覧端末１と印刷装置２とが物理的に接続される。また、通信媒体が無線であれば無線電波が届く範囲に閲覧端末１と印刷装置２とが配置される。この状態で閲覧端末１は、印刷装置２（図１参照）との間でファイルの印刷指示等の通信が可能となるので、ＣＰＵ１０１は、印刷装置２（図１参照）との通信を開始する（Ｓ２０１）。
【０１１５】
次にＣＰＵ１０１は、印刷指示、評価情報等の通信に先立ち、閲覧端末１（図１参照）と印刷装置２（図１参照）との間でリンクを確立するためのリンク確立通信を行う。そして、閲覧端末１（図１参照）と印刷装置２（図１参照）とを通信可能な状態とする。具体的には、ＣＰＵ１０１は以下の手順によりリンク確立通信を行う。はじめにＣＰＵ１０１は、送受信部１０９を介し、印刷装置２（図１参照）に対して通信依頼信号を送信する（Ｓ２０３）。そしてＣＰＵ１０１は、この通信依頼信号に対する、印刷装置２（図１参照）からの応答信号である通信許可信号の受信を監視する。そして、通信許可信号を受信した場合にはじめて、印刷装置２（図１参照）との間でリンクが確立し、以降の印刷指示、評価情報等の通信が可能な状態となったと判断する。一方ＣＰＵ１０１は、通信許可信号を受信できず、リンクが確立できなかった場合は、印刷装置２（図１参照）が他の閲覧端末１（図１参照）との通信の最中であったり、通信不能状態であったりする可能性があると判断する。そして、ＣＰＵ１０１は、再度、送受信部１０９を介し印刷装置２（図１参照）に通信依頼信号を送信するなどの処理を行う。
【０１１６】
次にＣＰＵ１０１は、タイムアウトカウンタを「０」にて初期化する（Ｓ２０５）。ここでタイムアウトカウンタは、閲覧端末１（図１参照）が通信依頼信号に対する通信許可信号を待っている状態でカウントアップされるカウンタである。このカウンタが所定の閾値以上となった場合に、ＣＰＵ１０１は応答を受信できなかったと判断し、その後の処理を行う。なお、このカウンタは、ＣＰＵ１０１（図２参照）が内蔵する定周期タイマにより別途カウントアップされる。本実施例においては、ＣＰＵ１０１は、「タイムアウトカウンタ×定周期タイマの周期」の時間が１５秒以上となった場合にタイムアウト時間が経過したと判断する。
【０１１７】
ＣＰＵ１０１は、送信した通信依頼信号に対する通信許可信号を監視する（Ｓ２０７）。ＣＰＵ１０１は、通信許可信号を受信した場合、送信用情報と併せて強制受信情報（後述）を受信する（Ｓ２０７：ＹＥＳ）。
【０１１８】
通信許可信号および強制受信信号を受信した後、ＣＰＵ１０１は、送信用情報選択処理を実行する（Ｓ２１３、後述）。送信用情報選択処理とは、端末第一記憶領域１１１（図５参照）に記憶されている情報から、印刷装置に送信する送信用情報を選択する処理である。ＣＰＵ１０１は、送信用情報選択処理にて選択された評価情報及び閲覧者個人情報を、端末第四記憶領域１１４（図７参照）に記憶する。そしてＣＰＵ１０１は、送受信部１０９を介し、ファイルの印刷指示と併せて送信用情報を印刷装置２（図１参照）に対して送信する（Ｓ２１５）。次にＣＰＵ１０１は、送信用情報選択処理において選択した情報について、印刷装置２（図１参照）に対して送信済みである旨を記憶する（Ｓ２１７）。具体的には、端末第一記憶領域１１１（図５参照）の送信済フラグ２０４、２０６、２０８、２１０、２１２、２１４（図５参照）のうち、送信用情報として選択した評価情報に対応する送信済フラグについて、「済」の情報を記憶する。
【０１１９】
一方、通信許可信号を受信できない（Ｓ２０７：ＮＯ）間に、ＣＰＵ１０１が電源スイッチ１０８（図２参照）の押下を検出した場合（Ｓ２０９：ＹＥＳ）、ＣＰＵ１０１は電源ＯＦＦの操作がなされたと判断して以降の印刷装置２（図１参照）との通信処理を行わず、Ｓ２１９の処理を実行する。また、ＣＰＵ１０１が電源スイッチ１０８（図２参照）の押下を検出しない状態では（Ｓ２０９：ＮＯ）、ＣＰＵ１０１はタイムアウトカウンタを監視する（Ｓ２１１）。タイムアウトを検出しない場合（Ｓ２１１：ＮＯ）、Ｓ２０７に戻り、ＣＰＵ１０１は印刷装置２（図１参照）からの通信許可信号を監視する処理を繰り返す。タイムアウトを検出した場合（Ｓ２１１：ＹＥＳ）、Ｓ２０３に戻り、ＣＰＵ１０１は再度印刷装置２（図１参照）に対して通信依頼信号を送信する。そして、ＣＰＵ１０１は応答信号である通信許可信号を監視する。
【０１２０】
Ｓ２１９において、ＣＰＵ１０１は、送受信部１０９を介して、印刷装置２（図１参照）との通信リンクを切断する為の通信を行い、処理を終了して閲覧端末メイン処理（図１３参照）に戻る。
【０１２１】
以上の処理により、閲覧端末１（図１参照）は、印刷装置２（図１参照）への印刷指示の送信に併せ、評価情報と閲覧者個人情報を送信する。このことにより、別途評価情報及び閲覧者個人情報のみの通信が不要となる。
【０１２２】
次に、送信用情報選択処理について、図１７を参照し説明する。図１７に示すように、送信用情報選択処理では、ＣＰＵ１０１は、端末第二記憶領域１１２（図６参照）に記憶されている情報のうち、印刷装置２（図１参照）への送信が許可されている情報を選択する（Ｓ２３１）。具体的には、閲覧者個人情報（図６参照）の送信許可２４３、２４５、２４７の項目に対応する情報のうち、「不許可」に対応する性別、年代、職業の情報は送信用情報として抽出されない。一方、「許可」に対応する性別、年代、職業の情報が抽出される。抽出された情報は、端末第四記憶領域１１４（図７参照）の送信用情報のテーブルに記憶される。
【０１２３】
次に、評価情報のうち、いまだ印刷装置２（図１参照）に送信されていない情報が抽出される（Ｓ２３３）。具体的には、端末第一記憶領域１１１（図５参照）のうち、送信済フラグ２０４、２０６、２０８、２１０、２１２、２１４の項目に対応する情報のうち「未」に対応する閲覧回数、閲覧時間、評価値、マークの情報が、名称のデータとともに抽出される。
【０１２４】
次に、Ｓ２３３にて抽出された情報のうち、ＣＰＵ１０１が印刷装置２（図１参照）から通信許可情報とともに受信した強制受信情報に記憶されている情報と一致する評価情報がさらに抽出される（Ｓ２３５）。具体的には、はじめに、強制受信情報に記憶されている名称の情報が参照され、記憶されている名称と同一の名称を有するファイルが、Ｓ２３３にて抽出した評価情報に存在するか否かが確認される。同一の名称を有するファイルが存在する場合、そのファイルについての評価情報のうち、強制受信情報に記憶されている「閲覧回数」、「閲覧時間」、「評価値」の項目に対応する情報が抽出される。そして、抽出された評価情報が、端末第四記憶領域１１４（図７参照）の送信用情報のテーブルにおいて、名称２２１（図７参照）、閲覧回数２２２（図７参照）、閲覧時間２２３（図７参照）、評価値２２４（図７参照）に記憶される（Ｓ２３５）。
【０１２５】
次に、いまだ印刷装置２（図１参照）に送信されていない評価情報としてＳ２３３にて抽出された情報のうち、印刷装置２（図１参照）への送信が許可されている情報がさらに抽出される（Ｓ２３７）。具体的には、評価情報（図５参照）のうち送信済フラグ２０４、２０６、２０８、２１０、２１２、２１４（図５参照）の項目の情報のうち「未」に対応する評価情報であって、且つ送信許可２０２の項目の情報のうち「許可」に対応する評価情報が抽出される（Ｓ２３７）。
【０１２６】
次に、抽出された評価情報のうち、閲覧回数の値が多い評価情報、閲覧時間の値が長い評価情報、及び評価値の値が大きい評価情報が選択されて抽出される。そして、送信用情報として端末第四記憶領域１１４（図７参照）の送信用情報のテーブルに記憶される。具体的には、はじめに、Ｓ２３１〜Ｓ２３７にて抽出された評価情報のうち、閲覧回数２０３（図５参照）に記憶された閲覧回数の値が多い順に３つが選択される。対応する名称（名称２０１（図５参照））とともに、端末第四記憶領域１１４（図７参照）のうち、名称２２１（図７参照）、閲覧回数２２２（図７参照）に記憶される（Ｓ２３９）。次に、Ｓ２３１〜Ｓ２３７にて抽出された評価情報のうち、閲覧時間２０５（図５参照）に記憶された閲覧時間の値が長い順に３つが選択される。そして、対応する名称（名称２０１（図５参照））とともに、端末第四記憶領域１１４（図７参照）のうち、名称２２１（図７参照）、閲覧時間２２３（図７参照）に記憶される（Ｓ２４１）。次に、Ｓ２３１〜Ｓ２３７にて抽出された評価情報のうち、評価値２０７（図５参照）に記憶された評価値の値が大きい順に３つが選択される。そして、対応する名称（名称２０１（図５参照））とともに、端末第四記憶領域１１４（図７参照）の送信用情報のテーブルのうち、名称２２１（図７参照）、評価値２２４（図７参照）に記憶される（Ｓ２４３）。
【０１２７】
最後に、端末第四記憶領域１１４（図７参照）の送信用情報のテーブルのうち、マーク情報２２５（図７参照）に記憶される情報が、端末第一記憶領域１１１（図５参照）より抽出される（Ｓ２４５）。具体的には、Ｓ２３１〜Ｓ２４３により確定され、端末第四記憶領域１１４（図２参照）に記憶された送信用情報が参照される。名称２２１（図７参照）に記憶されている名称のファイルに対するマーク情報のうち未送信の情報が、端末第一記憶領域１１１（図２参照）に記憶されている評価情報より抽出される。抽出された情報は、端末第四記憶領域１１４（図２参照）に記憶されている送信用情報を示すテーブルのマーク情報２２５（図７参照）に記憶される。
【０１２８】
以上の処理により、閲覧端末１は、評価情報として、評価の度合が大きい情報を選択することができる。そしてこれを収集することにより得られる収集データは、閲覧者にとって新たなファイルの選択基準として有用な情報となる。
【０１２９】
次に、図１８〜図２０を参照し、マスタ印刷装置４（図１参照）が閲覧端末１（図１参照）及びスレーブ印刷装置５，６（図１参照）より、評価情報と閲覧者個人情報を収集する処理について説明する。印刷装置２（マスタ印刷装置４、スレーブ印刷装置５，６）（図１参照）は、閲覧端末１（図１参照）から、印刷指示と併せて、ファイルに対する評価情報と、閲覧者個人情報を受信する。ここで、評価情報と閲覧者個人情報とを最終的に収集し管理するのはマスタ印刷装置４（図１参照）である。スレーブ印刷装置５，６（図１参照）は、評価情報と閲覧者個人情報とを閲覧端末１（図１参照）より受信した場合には、そのままマスタ印刷装置４（図１参照）に転送する処理行う。また、マスタ印刷装置４（図１参照）は、直接閲覧端末１（図１参照）より評価情報と閲覧者個人情報とを受信する。加えてマスタ印刷装置４は、スレーブ印刷装置５，６（図１参照）が受信し転送した評価情報と閲覧者個人情報とを受信し、収集する処理を行う。図１８は、スレーブ印刷装置５，６（図１参照）の実行するスレーブ印刷装置メイン処理のメインフローチャートであり、図１９は、印刷装置通信処理のサブルーティンフローチャートであり、図２０は、マスタ印刷装置４（図１参照）のマスタ印刷装置メイン処理のメインフローチャートである。
【０１３０】
はじめに、図１８及び図１９を参照し、スレーブ印刷装置５，６（図１参照）のＣＰＵ１４１が実行する印刷処理、評価情報及び閲覧者個人情報の受信処理、評価情報及び閲覧者個人情報の送信処理（スレーブ印刷装置メイン処理）について、フローチャートを参照して説明する。本処理は、ユーザによるスレーブ印刷装置５，６（図１参照）の電源ＯＮの操作により開始する。
【０１３１】
図１８に示すように、スレーブ印刷装置メイン処理では、ユーザにより、通信媒体が有線であれば、スレーブ印刷装置５，６と閲覧端末１及びマスタ印刷装置４とが物理的に接続され、通信媒体が無線であれば、無線電波が届く範囲にスレーブ印刷装置５，６と閲覧端末１及びマスタ印刷装置４とが配置される。この状態でスレーブ印刷装置５，６は、閲覧端末１（図１参照）及びマスタ印刷装置４との間で通信が可能となるので、ＣＰＵ１４１は、閲覧端末１及びマスタ印刷装置４との間で通信を開始する（Ｓ２６１）。
【０１３２】
次にＣＰＵ１４１は、閲覧端末１（図１参照）との通信を実行する印刷装置通信処理を実行する（Ｓ２６３）。図１９に示すように、はじめに、印刷装置２がマスタ印刷装置４（図１参照）かどうかの判断が行われる（Ｓ３０１）。ここではマスタ印刷装置４（図１参照）ではないため（Ｓ３０１：ＮＯ）、ＣＰＵ１４１は、タイムアウトカウンタを「０」にて初期化する（Ｓ３０３）。タイムアウトカウンタは、スレーブ印刷装置５，６（図１参照）が閲覧端末１（図１参照）からの通信依頼信号を待っている状態でカウントアップされるカウンタである。このカウンタが所定の閾値以上となった場合に、ＣＰＵ１４１は通信依頼信号を受信できなかったと判断し、その後の処理を行う。なお、このカウンタは、ＣＰＵ１４１が内蔵する定周期タイマにより別途カウントアップされる。本実施例においては、ＣＰＵ１４１は、「タイムアウトカウンタ×定周期タイマの周期」の時間が１５秒以上となった場合にタイムアウト時間が経過したと判断する。
【０１３３】
次にＣＰＵ１４１は、印刷指示、評価情報等の通信に先立ち、スレーブ印刷装置５，６（図１参照）と閲覧端末１（図１参照）との間でリンクを確立するためのリンク確立通信を行う。そして、スレーブ印刷装置５，６（図１参照）と閲覧端末１（図１参照）とを通信可能な状態とする。具体的には、ＣＰＵ１４１は以下の手順によりリンク確立通信を行う。はじめに、ＣＰＵ１４１は、閲覧端末１（図１参照）からの通信依頼信号を監視する（Ｓ３０５）。ここで、通信依頼信号を受信できない（Ｓ３０５：ＮＯ）間に、電源スイッチ１４８（図３参照）の押下が検出された場合（Ｓ３０７：ＹＥＳ）、ＣＰＵ１４１は、電源ＯＦＦの操作がなされたと判断して以降の閲覧端末１（図１参照）との通信処理を行わず印刷装置通信処理を終了する。そして、スレーブ印刷装置メイン処理（図１８参照）に戻る。また、電源スイッチ１４８（図３参照）の押下が検出されない状態においては（Ｓ３０７：ＮＯ）、ＣＰＵ１４１はタイムアウトカウンタを監視する（Ｓ３０９）。タイムアウトしない状況では（Ｓ３０９：ＮＯ）、Ｓ３０５に戻り、ＣＰＵ１４１は閲覧端末１（図１参照）からの通信依頼信号を継続して監視する。ＣＰＵ１４１がタイムアウトを検出した場合（Ｓ３０９：ＹＥＳ）、印刷装置通信処理を終了し、スレーブ印刷装置メイン処理（図１８参照）に戻る。
【０１３４】
一方、閲覧端末１（図１参照）から通信依頼信号を受信した場合（Ｓ３０５：ＹＥＳ）、ＣＰＵ１４１は、その応答として、通信許可信号を閲覧端末１（図１参照）に送信する（Ｓ３１１）。このことによりＣＰＵ１４１は、スレーブ印刷装置５，６（図１参照）と閲覧端末１（図１参照）との間でリンクが確立し、以降の印刷指示、評価情報等の通信が可能な状態となったと判断する。ＣＰＵ１４１は、通信許可信号とともに、スレーブ第三記憶領域１５３（図３参照）に記憶されている強制受信情報を、閲覧端末１（図１参照）に対して送信する（Ｓ３１１）。
【０１３５】
次にＣＰＵ１４１は、タイムアウトカウンタを「０」にて初期化する（Ｓ３１５）。このタイムアウトカウンタは、スレーブ印刷装置５，６（図１参照）が閲覧端末１（図１参照）からの印刷指示、評価情報、及び閲覧者個人情報を待っている状態でカウントアップされるカウンタである。このカウンタが所定の閾値以上となった場合に、ＣＰＵ１４１は印刷指示、評価情報、及び閲覧者個人情報を受信できなかったと判断し、印刷装置通信処理を中断する。なお、このカウンタは、ＣＰＵ１４１が内蔵する定周期タイマにより別途カウントアップされる。本実施例においては、ＣＰＵ１４１は、「タイムアウトカウンタ×定周期タイマの周期」の時間が１５秒以上となった場合にタイムアウト時間が経過したと判断している。
【０１３６】
ＣＰＵ１４１は、閲覧端末１（図１参照）からの印刷指示、評価情報等を受信したか否かを監視する（Ｓ３１７）。印刷指示、評価情報等を受信できない（Ｓ３１７：ＮＯ）間に、電源スイッチ１４８（図３参照）の押下が検出された場合（Ｓ３１９：ＹＥＳ）、ＣＰＵ１４１は、電源ＯＦＦの操作がなされたと判断して印刷装置通信処理を行わず処理を終了する。そして、スレーブ印刷装置メイン処理（図１８参照）に戻る。また、電源スイッチ１４８（図３参照）の押下が検出されない状態においては（Ｓ３１９：ＮＯ）、ＣＰＵ１４１はタイムアウトカウンタを監視する（Ｓ３２１）。タイムアウトしない状況では（Ｓ３２１：ＮＯ）、Ｓ３１７に戻り、ＣＰＵ１４１は閲覧端末１（図１参照）からの印刷指示、評価情報等を継続して監視する。そして、ＣＰＵ１４１がタイムアウトを検出した場合（Ｓ３２１：ＹＥＳ）、ＣＰＵ１４１はタイムアウトした回数をカウントする（Ｓ３１３）。そして、タイムアウトの回数が合計３回以下であれば（Ｓ３１３：ＹＥＳ）、Ｓ３１１に戻って、ＣＰＵ１４１は閲覧端末１（図１参照）に対して通信許可信号と強制受信情報を再度送信する制御を行う。そして、閲覧端末１（図１参照）からの応答を監視する（Ｓ３１７）。一方、タイムアップした回数が４回以上となった場合（Ｓ３１３：ＮＯ）、ＣＰＵ１４１は印刷装置通信処理を終了し、スレーブ印刷装置メイン処理（図１８参照）に戻る。
【０１３７】
閲覧端末１（図１参照）から、印刷指示、評価情報等を受信した場合（Ｓ３１７：ＹＥＳ）、ＣＰＵ１４１は、指示のあったファイルを印刷制御部１４７（図３参照）に印刷させる制御を行う（Ｓ３２３）。ＣＰＵ１４１は、受信した評価情報と閲覧者個人情報とを、スレーブ第一記憶領域１５１（図３参照）に記憶し、印刷装置通信処理を終了する。そして、スレーブ印刷装置メイン処理（図１８参照）に戻る。
【０１３８】
図１８に示すように、閲覧端末１（図１参照）より、印刷指示、評価情報、及び閲覧者個人情報を受信した場合（Ｓ２６５：ＹＥＳ）、ＣＰＵ１４１は、スレーブ第一記憶領域１５１（図３参照）に記憶した評価情報及び閲覧者個人情報をマスタ印刷装置４（図１参照）に転送する処理を実行する。
【０１３９】
マスタ印刷装置４（図１参照）への評価情報及び閲覧者個人情報の送信処理においては、ＣＰＵ１４１は、マスタ印刷装置４（図１参照）とスレーブ印刷装置５，６（図１参照）とが物理的に接続され、通信可能な状態となっていることを確認する（Ｓ２６９）。次にＣＰＵ１４１は、評価情報の通信に先立ち、スレーブ印刷装置５，６（図１参照）とマスタ印刷装置４（図１参照）との間でリンクを確立するためのリンク確立通信を行う。そして、スレーブ印刷装置５，６（図１参照）とマスタ印刷装置４（図１参照）とを通信可能な状態とする。具体的には、ＣＰＵ１４１は以下の手順によりリンク確立通信を行う。はじめに、スレーブ印刷装置５，６（図１参照）のＣＰＵ１４１は、マスタ印刷装置４（図１参照）に対し通信依頼信号を送信する（Ｓ２７１）。スレーブ印刷装置５，６（図１参照）のＣＰＵ１４１は、この通信依頼信号に対する、マスタ印刷装置４（図１参照）からの応答信号である通信許可信号を受信した場合にはじめて、マスタ印刷装置４（図１参照）との間でリンクが確立したと判断する。そしてＣＰＵ１４１は、以降の評価情報の通信が可能な状態となったと判断する。一方、応答信号である通信許可信号を受信できず、リンクが確立できなかった場合は、ＣＰＵ１４１は、マスタ印刷装置４（図１参照）が他の閲覧端末１（図１参照）やスレーブ印刷装置５，６と通信の最中であったり、通信不能状態であったりする可能性があると判断する。そしてＣＰＵ１４１は、再度、マスタ印刷装置４（図１参照）に通信依頼信号を送るなどの処理を行う。
【０１４０】
ＣＰＵ１４１は、タイムアウトカウンタを「０」にて初期化する（Ｓ２７３）。ここでタイムアウトカウンタは、スレーブ印刷装置５，６（図１参照）がマスタ印刷装置４（図１参照）からの通信許可信号を待っている状態でカウントアップされるカウンタである。ＣＰＵ１４１は、このカウンタが所定の閾値以上となった場合に、通信許可信号を受信できなかったと判断し、その後の処理を行う。なお、このカウンタは、ＣＰＵ１４１が内蔵する定周期タイマにより別途カウントアップされる。本実施例においては、ＣＰＵ１４１は、「タイムアウトカウンタ×定周期タイマの周期」の時間が１５秒以上となった場合にタイムアウト時間が経過したと判断している。
【０１４１】
ＣＰＵ１４１は、マスタ印刷装置４（図１参照）からの通信許可信号を監視する（Ｓ２７５）。ここで、通信許可信号を受信できない（Ｓ２７５：ＮＯ）間に、電源スイッチ１４８（図３参照）の押下が検出された場合（Ｓ２７７：ＹＥＳ）、ＣＰＵ１４１は電源ＯＦＦの操作がなされたと判断する。そして以降のマスタ印刷装置４（図１参照）との通信処理を行わず、Ｓ２８３に移行する。また、電源スイッチ１４８（図３参照）の押下が検出されない状態においては（Ｓ２７７：ＮＯ）、ＣＰＵ１４１はタイムアウトカウンタを監視する（Ｓ２７９）。タイムアウトしない状況では（Ｓ２７９：ＮＯ）、Ｓ２７５に戻り、ＣＰＵ１４１はマスタ印刷装置４（図１参照）からの通信許可信号を継続して監視する。ＣＰＵ１４１がタイムアウトを検出した場合（Ｓ２７９：ＹＥＳ）、Ｓ２７１に戻って、ＣＰＵ１４１は再度マスタ印刷装置４（図１参照）に対して通信依頼信号を送信し、通信許可信号を継続して監視する（Ｓ２７５）。
【０１４２】
そして、スレーブ印刷装置５，６がマスタ印刷装置４（図１参照）から通信許可信号を受信した場合（Ｓ２７５：ＹＥＳ）、次にＣＰＵ１４１は、マスタ印刷装置４（図１参照）に対して、閲覧端末１（図１参照）より受信した評価情報及び閲覧者個人情報を送信する制御を行う（Ｓ２８１）。なお送信する評価情報及び閲覧者個人情報は、スレーブ第一記憶領域１５１（図３参照）に記憶されている。ＣＰＵ１４１は、マスタ印刷装置４（図１参照）との通信リンクを切断し（Ｓ２８３）マスタ印刷装置４（図１参照）との通信を終了する。次にＣＰＵ１４１は、この状態で電源スイッチ１４８（図３参照）を監視する（Ｓ２８５）。押下が検出されない場合（Ｓ２８５：ＮＯ）、ＣＰＵ１４１は閲覧端末１（図１参照）より別のファイルの印刷指示と評価情報等を受信する可能性があると判断する。そして、Ｓ２６３に戻り、ＣＰＵ１４１は継続して閲覧端末１（図１参照）との通信を行う。また、電源スイッチ１４８（図３参照）の押下が検出された場合（Ｓ２８５：ＹＥＳ）、ＣＰＵ１４１は接続中の閲覧端末１（図１参照）との通信リンクを切断し（Ｓ２８７）処理を終了する。
【０１４３】
以上の処理により、スレーブ印刷装置５，６は、閲覧端末１（図１参照）よりファイル印刷指示の命令と共に評価情報と閲覧者個人情報とを受信する。またスレーブ印刷装置５，６は、受信した評価情報及び閲覧者個人情報をマスタ印刷装置４（図１参照）に転送する。
【０１４４】
次に、図１９及び図２０を参照し、マスタ印刷装置４（図１参照）が実行する印刷処理、評価情報及び閲覧者個人情報の受信処理を含むマスタ印刷装置メイン処理について説明する。本処理は、ＣＰＵ１７１がマスタ印刷装置４（図１参照）の電源ＯＮの操作を検出した場合に開始する。
【０１４５】
図２０に示すように、マスタ印刷装置メイン処理では、ユーザにより、通信媒体が有線であれば、マスタ印刷装置４と閲覧端末１及びスレーブ印刷装置５，６とが物理的に接続され、通信媒体が無線であれば、無線電波が届く範囲にマスタ印刷装置４と閲覧端末１及びスレーブ印刷装置５，６とが配置される。この状態でマスタ印刷装置４（図１参照）は、閲覧端末１（図１参照）及びスレーブ印刷装置５，６（図１参照）と通信可能な状態となるので、ＣＰＵ１７１は、閲覧端末１（図１参照）及びスレーブ印刷装置５，６（図１参照）との通信を開始する（Ｓ３４１）。
【０１４６】
次にＣＰＵ１７１は、印刷指示、評価情報等の通信に先立ち、マスタ印刷装置４（図１参照）と、閲覧端末１（図１参照）及びスレーブ印刷装置５，６（図１参照）との間でリンクを確立するためのリンク確立通信を行う。そして、マスタ印刷装置４（図１参照）と、閲覧端末１（図１参照）及びスレーブ印刷装置５，６（図１参照）とを通信可能な状態とする。具体的には、以下の手順によりリンク確立通信が行われる。はじめに、マスタ印刷装置４（図１参照）のＣＰＵ１７１は、閲覧端末１（図１参照）からの通信依頼信号を監視する（Ｓ３４３）。ここで、閲覧端末１（図１参照）は、マスタ印刷装置４（図１参照）に対して印刷指示と評価情報と閲覧者個人情報とを送信する場合に、これらの送信に先立ち、通信依頼信号を送信する。従って、マスタ印刷装置４（図１参照）が閲覧端末１（図１参照）より通信依頼信号を受信した場合に（Ｓ３４３：ＹＥＳ）、ＣＰＵ１７１は閲覧端末１（図１参照）との間でリンクが確立し、以降の印刷指示、評価情報等の通信が可能な状態となったと判断する。そしてＣＰＵ１７１は、印刷装置通信処理を実行する（Ｓ３４５）。一方、スレーブ印刷装置５，６（図１参照）は、マスタ印刷装置４（図１参照）に対して、評価情報及び閲覧者個人情報を転送する場合に、これらの送信に先立ち、通信依頼信号を送信する。従って、マスタ印刷装置４（図１参照）がスレーブ印刷装置５，６（図１参照）より通信依頼信号を受信した場合は（Ｓ３４３：ＮＯ、Ｓ３４７：ＹＥＳ）、ＣＰＵ１７１は、スレーブ印刷装置５，６（図１参照）にマスタ印刷装置４（図１参照）に対して送信すべき評価情報、及び閲覧者個人情報があると判断する。そして、スレーブ印刷装置５，６（図１参照）に通信許可信号を送信する（Ｓ３５１）。このことによりＣＰＵ１７１は、マスタ印刷装置４（図１参照）とスレーブ印刷装置５，６（図１参照）との間でリンクが確立し、以降の評価情報等の通信が可能な状態となったと判断する。また、いずれの通信依頼信号も受信しない場合は（Ｓ３４３：ＮＯ、Ｓ３４７：ＮＯ）、ＣＰＵ１７１は電源スイッチ１７８（図１参照）を監視する（Ｓ３４９）。この状態で電源スイッチ１７８（図１参照）の押下が検知された場合は（Ｓ３４９：ＹＥＳ）、ＣＰＵ１７１は電源ＯＦＦの操作がなされたと判断してＳ３６７の処理に移行する。一方、電源スイッチ１７８（図１参照）の押下が検知されなかった場合（Ｓ３４９：ＮＯ）、Ｓ３４３に戻って、ＣＰＵ１７１は継続して通信依頼信号を監視する。
【０１４７】
マスタ印刷装置４が閲覧端末１（図１参照）から通信依頼信号を受信した場合（Ｓ３４３：ＹＥＳ）、印刷装置通信処理（図１９参照）に示すように、はじめに、マスタ印刷装置４（図１参照）かスレーブ印刷装置５，６（図１参照）かの判断が行われる（Ｓ３０１）。ここではマスタ印刷装置４（図１参照）であるため（Ｓ３０１：ＹＥＳ）、次にＣＰＵ１７１は、閲覧端末１（図１参照）に対する応答として、通信許可信号と、マスタ第四記憶領域１８４（図４参照）に記憶されている強制受信情報とを、閲覧端末１（図１参照）に対して送信する（Ｓ３１１）。
【０１４８】
次にＣＰＵ１７１は、タイムアウトカウンタを「０」にて初期化する（Ｓ３１５）。タイムアウトカウンタは、マスタ印刷装置４（図１参照）が閲覧端末１（図１参照）からの印刷指示と送信用情報とを待っている状態でカウントアップされるカウンタである。ＣＰＵ１７１は、このカウンタが所定の閾値以上となった場合に、印刷指示と送信用情報とを受信できなかったと判断し、その後の処理を行う。なお、このカウンタは、ＣＰＵ１７１が内蔵する定周期タイマにより別途カウントアップされる。本実施例においては、「タイムアウトカウンタ×定周期タイマの周期」の時間が１５秒以上となった場合にタイムアウト時間が経過したと判断している。
【０１４９】
そしてＣＰＵ１７１は、閲覧端末１（図１参照）からの印刷指示、評価情報等を監視する（Ｓ３１７）。ここで、印刷指示、評価情報等が受信されない（Ｓ３１７：ＮＯ）間に、電源スイッチ１７８（図４参照）の押下が検出された場合（Ｓ３１９：ＹＥＳ）、ＣＰＵ１７１は以降の閲覧端末１（図１参照）との通信処理を行わず処理を終了する。そしてマスタ印刷装置メイン処理（図２０参照）に戻る。また、電源スイッチ１７８（図４参照）の押下が検出されない状態においては（Ｓ３１９：ＮＯ）、ＣＰＵ１７１はタイムアウトカウンタを監視する（Ｓ３２１）。そしてタイムアウトしない状況では（Ｓ３２１：ＮＯ）、Ｓ３１７に戻り、ＣＰＵ１７１は閲覧端末１（図１参照）からの印刷指示、評価情報等を継続して監視する。ＣＰＵ１７１がタイムアウトを検出した場合（Ｓ３２１：ＹＥＳ）、タイムアウトした回数をカウントする（Ｓ３１３）。タイムアップの回数が合計３回以下であれば（Ｓ３１３：ＹＥＳ）、Ｓ３１１に戻って、ＣＰＵ１７１は閲覧端末１（図１参照）に対して通信許可信号と強制受信情報を再度送信する。そしてＣＰＵ１７１は、閲覧端末１（図１参照）からの応答を監視する（Ｓ３１７）。タイムアウトした回数が４回以上となった場合（Ｓ３１３：ＮＯ）、ＣＰＵ１７１は以降の閲覧端末１（図１参照）との通信処理を行わず処理を終了し、マスタ印刷装置メイン処理（図２０参照）に戻る。
【０１５０】
マスタ印刷装置４が閲覧端末１（図１参照）からファイル印刷指示、評価情報等を受信した場合（Ｓ３１７：ＹＥＳ）、ＣＰＵ１７１は、指示のあったファイルを印刷制御部１７７（図４参照）に印刷させる（Ｓ３２３）。その後ＣＰＵ１７１は、印刷装置通信処理を終了し、マスタ印刷装置メイン処理（図２０参照）に戻る。そして図２０に示すように、ＣＰＵ１７１は、閲覧端末１（図１参照）より評価情報及び閲覧者個人情報を受信したかどうかを判断する（Ｓ３６６）。受信したと判断された場合（Ｓ３６６：ＹＥＳ）、ＣＰＵ１７１は、受信した評価情報及び閲覧者個人情報をマスタ第一記憶領域１８１（図４参照）に記憶する（Ｓ３６３）。評価情報及び閲覧者個人情報を受信していないと判断された場合は（Ｓ３６６：ＮＯ）、ＣＰＵ１７１は、電源スイッチ１７８（図４参照）の押下を監視する処理（Ｓ３６５）に移行する。
【０１５１】
一方、図２０において、マスタ印刷装置４がスレーブ印刷装置５，６（図１参照）から通信依頼信号を受信した場合（Ｓ３４３：ＮＯ、Ｓ３４７：ＹＥＳ）、ＣＰＵ１７１は、通信依頼信号に対する応答として、スレーブ印刷装置５，６（図１参照）に対して通信許可信号を送信する制御を行う（Ｓ３５１）。
【０１５２】
次にＣＰＵ１７１は、タイムアウトカウンタを「０」にて初期化する（Ｓ３５３）。タイムアウトカウンタは、マスタ印刷装置４（図１参照）がスレーブ印刷装置５，６（図１参照）からの評価情報等を待っている状態でカウントアップされるカウンタである。ＣＰＵ１７１は、このカウンタが所定の閾値以上となった場合に、評価情報等を受信できなかったと判断し、その後の処理を行う。なお、このカウンタは、ＣＰＵ１７１が内蔵する定周期タイマにより別途カウントアップされる。本実施例においては、「タイムアウトカウンタ×定周期タイマの周期」の時間が１５秒以上となった場合にタイムアウト時間が経過したと判断している。
【０１５３】
ＣＰＵ１７１は、スレーブ印刷装置５，６（図１参照）からの評価情報等を監視する（Ｓ３５７）。評価情報等を受信できない（Ｓ３５７：ＮＯ）間に、電源スイッチ１７８（図４参照）の押下が検出された場合（Ｓ３５９：ＹＥＳ）、Ｓ３６７に移行し、ＣＰＵ１７１は閲覧端末１（図１参照）とスレーブ印刷装置５，６（図１参照）とのリンクを切断する（Ｓ３６７）。ＣＰＵ１７１は、マスタ印刷装置メイン処理を終了する。また、電源スイッチ１７８（図４参照）の押下が検出されない状態においては（Ｓ３５９：ＮＯ）、ＣＰＵ１７１はタイムアウトカウンタを監視する（Ｓ３６１）。タイムアウトしない状況では（Ｓ３６１：ＮＯ）、Ｓ３５７に戻り、ＣＰＵ１７１はスレーブ印刷装置５，６（図１参照）からの評価情報等を継続して監視する。ＣＰＵ１７１がタイムアウトを検出した場合（Ｓ３６１：ＹＥＳ）、Ｓ３５１に戻り、ＣＰＵ１７１は再度スレーブ印刷装置５，６（図１参照）に対して送信許可信号を送信する。スレーブ印刷装置５，６（図１参照）からの評価情報等を継続して監視する。
【０１５４】
マスタ印刷装置４がスレーブ印刷装置５，６（図１参照）より評価情報及び閲覧者個人情報を受信した場合（Ｓ３５７：ＹＥＳ）、ＣＰＵ１７１は、受信した評価情報及び閲覧者個人情報をマスタ第一記憶領域１８１（図４参照）に記憶する（Ｓ３６３）。
【０１５５】
ＣＰＵ１７１は、この状態で電源スイッチ１７８（図４参照）の押下を監視する（Ｓ３６５）。押下が検出されない場合（Ｓ３６５：ＮＯ）、ＣＰＵ１７１は閲覧端末１（図１参照）又はスレーブ印刷装置５，６（図１参照）より別の印刷指示の命令や評価情報等を受信する可能性があると判断する。そしてＳ３４３に戻り、ＣＰＵ１７１は継続して閲覧端末１（図１参照）及びスレーブ印刷装置５，６（図１参照）から通信依頼信号を受信しないかを監視する。また、電源スイッチ１７８（図４参照）の押下が検出された場合（Ｓ３６５：ＹＥＳ）、ＣＰＵ１７１は電源ＯＦＦの操作がなされたと判断する。ＣＰＵ１７１は、接続中の閲覧端末１（図１参照）及びスレーブ印刷装置５，６（図１参照）とのリンクを切断し（Ｓ３６７）処理を終了する。
【０１５６】
以上の処理により、マスタ印刷装置４（図１参照）は閲覧端末１（図１参照）及びスレーブ印刷装置５，６（図１参照）より評価情報を収集している。
【０１５７】
以上説明したように、閲覧端末１（図１参照）は、表示したファイルに対する評価情報である閲覧回数、閲覧時間、評価値、及びマーク情報を記憶し、印刷装置２（図１参照）に対して送信することが可能となる。ここで、閲覧端末１（図１参照）は、記憶した評価情報のうち相対的に評価の度合の高い情報であって、いまだ印刷装置２（図１参照）に送信していない評価情報を抽出して印刷装置２（図１参照）に送信する。このことにより、印刷装置２（図１参照）との通信データ量を小さくすることができる。また、通信トラフィックの増大を抑制することが可能となる。また、閲覧端末１は、評価情報と併せて、閲覧者の個人情報を印刷装置２（図１参照）に対して送信する。このことにより、印刷装置２（図１参照）にて有用度の高い評価情報を収集することが可能となる。また、閲覧端末１は、印刷装置２（図１参照）に対する印刷指示の送信と併せて評価情報を送信する。このことにより、別途評価情報収集のためだけの通信が不要となる。従って、閲覧端末のユーザに余計な手間を与えることなく、評価情報を収集することができる。また、ユーザが送信を希望しない評価情報及び個人情報については印刷装置２（図１参照）への送信は行われない。このことにより、閲覧者のプライバシーを守ることができる。
【０１５８】
また、スレーブ印刷装置５，６（図１参照）は、閲覧端末１（図１参照）より受信した評価情報をマスタ印刷装置４（図１参照）に転送する。このことにより、マスタ印刷装置４（図１参照）にて評価情報を一括管理することが可能となる。また、閲覧端末１（図１参照）が収集を拒否する評価情報についても、強制的に印刷装置２（図１参照）にて収集することができる。このことにより、評価情報の利用形態や必要度合に応じた柔軟な収集方法の選択が可能となる。
【０１５９】
なお、上記実施の形態における閲覧端末１が「閲覧端末」に該当し、印刷装置２が「印刷装置」に対応する。
【０１６０】
そして、図２に示す閲覧端末１のハードウェア構成を示す模式図におけるディスプレイ１０６が、本発明の「表示手段」にする。また、図２に示す閲覧端末１のハードウェア構成を示す模式図における記憶装置１０４の端末第一記憶領域１１１が、本発明の「第一記憶手段」に相当する。また、図１６に示す閲覧端末通信処理におけるＳ２０１、Ｓ２０３、Ｓ２０５、Ｓ２０７にて、印刷装置との通信リンクを確立する処理を行うＣＰＵ１０１が、本発明の「接続手段」に相当する。また、図１６に示す閲覧端末通信処理におけるＳ２１５にて、評価情報を送信する処理を行うＣＰＵ１０１が、本発明の「端末通信手段」に相当する。図５に示す評価情報を示すテーブルにおける評価値２０７が、本発明の「評価値情報」に相当する。また、図５に示す評価情報を示すテーブルにおけるマーク２０９、２１１，２１３が、本発明の「マーキング情報」に相当する。また、図５に示す評価情報を示すテーブルにおける閲覧回数２０３が、本発明の「第一累計情報」に相当する。また、図５に示す評価情報を示すテーブルにおける閲覧時間２０５が、本発明の「第二累計情報」に相当する。図５に示す評価情報を示すテーブルにおける名称２０１が、本発明の「特定情報」に相当する。また、図６に示す閲覧者個人情報が「個人情報」に相当する。また、図１７に示す送信用評価データ選択処理を行うＣＰＵ１０１が、本発明の「第二選択手段」に相当する。また、図２に示す閲覧端末１のハードウェア構成を示す模式図における記憶装置１０４の端末第二記憶領域１１２が、本発明の「第二記憶手段」に相当する。また、図５に示す評価情報を示すテーブルにおける送信許可２０２に情報を「許可」「不許可」を記憶するＣＰＵ１０１が、本発明の「第三選択手段」に相当する。また、図５に示す評価情報を示すテーブルにおける送信済フラグ２０４、２０６、２０８、２１０、２１２、２１４に「済」「未」を記憶するＣＰＵ１０１が、本発明の「第三記憶手段」に相当する。また、図１７に示す送信用評価データ選択処理のＳ２３３の処理をおこなうＣＰＵ１０１が、本発明の「第四選択手段」に相当する。
【０１６１】
また、図１８に示すスレーブ印刷装置メイン処理におけるＳ２７１、Ｓ２７３、Ｓ２７５、図１９に示す印刷装置通信処理におけるＳ３０５、図２０に示すマスタ印刷装置メイン処理におけるＳ３５１、Ｓ３５３、Ｓ３５７にて、閲覧端末及び印刷装置との通信リンクを確立する処理を行うＣＰＵ１４１、ＣＰＵ１７１が、本発明の「印刷装置接続手段」に相当する。また、図２０に示すマスタ印刷装置メイン処理に示すＳ３５７、図１８に示すスレーブ印刷装置メイン処理におけるＳ２６５、図１９に示す印刷装置通信処理におけるＳ３１７の各処理を行うＣＰＵ１４１、ＣＰＵ１７１が、本発明の「印刷接続手段」に相当する。また、図４に示すマスタ印刷装置４、図３に示すスレーブ印刷装置５、６のハードウェア構成を示す模式図における印刷制御部１４７、１７７が、本発明の「印刷手段」に相当する。また、図４に示すマスタ印刷装置４、図３に示すスレーブ印刷装置５、６のハードウェア構成を示す模式図における記憶装置１７４のマスタ第一記憶領域１８１が、本発明の「印刷記憶手段」に相当する。また、図１に示す評価情報収集システム１０の概略を示す模式図におけるマスタ印刷装置４が、本発明の「管理装置」に相当する。また、図１８に示すスレーブ印刷装置メイン処理におけるＳ２８１が、本発明の「転送手段」に相当する。
【０１６２】
なお、本発明の閲覧端末、端末プログラム、印刷装置、収集プログラム、及び評価情報収集システムは、上記した実施の形態に限定されるものではなく、本発明の趣旨を逸脱しない範囲内において、変更を加え得ることは勿論である。
【０１６３】
前述の実施形態では、閲覧端末１及び印刷装置２は、ファイルの名称に対応付けて評価情報を記憶していた。また評価の高い評価情報は、評価対象のファイルの名称の情報とともに、閲覧端末１から印刷装置２に対して送信されていた。しかしながら、閲覧端末１及び印刷装置２は、ファイルの名称に対応付けて評価情報を記憶する必要はなく、ファイルを特定する為の情報に対応付けて評価情報を記憶していればよい。また、評価の高い評価情報は、評価対象のファイルを特定する為の情報とともに、閲覧端末１から及び印刷装置２に対して送信されてもよい。例えば、ファイルを特定する為の情報としては、それぞれのファイルに固有のＩＤ等が使用されてもよい。
【０１６４】
前述の実施形態では、マスタ印刷装置４を評価情報を管理する管理装置とし、スレーブ印刷装置５，６より評価情報を収集している。しかしながら、管理装置は印刷装置である必要はなく、例えば、単なるサーバであってもかまわない。
【０１６５】
前述の実施形態では、評価情報のうち、他の評価情報と比較して相対的に評価度合の高い情報として、閲覧回数の大きい順に３つの評価情報、閲覧時間の長い順に３つの評価情報、評価値の高い順に３つの評価情報を抽出している。しかしながら、抽出方法はこれに限定されるものではない。従って、閲覧回数、閲覧時間、評価値それぞれについて所定の閾値を設け、この値よりも大きい評価情報を、絶対的に評価度合の高い情報として抽出してもよい。
【０１６６】
前述の実施形態では、評価情報として、閲覧回数、閲覧時間、評価値、及びマーク情報が管理されているが、管理される評価情報は、これに限定されるものではない。例えば、閲覧時刻情報を評価情報として管理してもよい。ここで閲覧時刻情報とは、ファイルが閲覧端末１（図１参照）にて閲覧された場合において、当該ファイルをディスプレイ１０６に表示した時刻に関する情報である。また、閲覧時刻情報のうち評価度合の高い情報を抽出する場合は、閲覧時刻情報が新しい順に所定の数を抽出する。このことにより、より新しい情報が反映された、重要度の高い情報を抽出することが可能となる。また例えば、印刷回数に関する情報を評価情報として管理してもよい。ここで印刷回数に関する情報とは、ファイルの印刷指示が閲覧端末１（図１参照）より印刷装置２（図１参照）に対してなされた場合において、当該印刷指示のなされた回数を累計した情報である。そして、印刷回数に関する情報のうち評価度合の高い情報を抽出する場合は、印刷回数が多い順に所定の数を抽出する。重要性の高いファイルはより多く印刷され読まれることが想定されるから、このことにより、重要度の高い情報を抽出することが可能となる。
【０１６７】
前述の実施形態では、個人情報として性別、年代、職業の情報を備えることとしたが、これに限定されるものではなく、他の情報（血液型等）を備えることとしてもよい。
【０１６８】
前述の実施形態では、マスタ印刷装置４にて収集された評価情報は、評価のなされた閲覧端末毎に分類し管理されているが、分類方法はこれに限定されるものではなく、例えばファイルの名称毎に分類し管理してもかまわない。
【図面の簡単な説明】
【０１６９】
【図１】評価情報収集システム１０の概略を示す模式図である。
【図２】閲覧端末１のハードウェア構成を示す模式図である。
【図３】スレーブ印刷装置５、６のハードウェア構成を示す模式図である。
【図４】マスタ印刷装置４のハードウェア構成を示す模式図である。
【図５】端末第一記憶領域１１１に記憶されている評価情報を示すテーブルの一例である。
【図６】端末第二記憶領域１１２に記憶されている閲覧者個人情報を示すテーブルの一例である。
【図７】端末第四記憶領域１１４に記憶されている送信用情報を示すテーブルの一例である。
【図８】スレーブ第一記憶領域１５１に記憶されている送信用情報を示すテーブルの一例である。
【図９】スレーブ第三記憶領域１５３に記憶されている強制受信情報を示すテーブルの一例である。
【図１０】マスタ第一記憶領域１８１に記憶されている評価情報収集データを示すテーブルの一例である。
【図１１】マスタ第二記憶領域１８２に記憶されている閲覧者個人情報収集データを示すテーブルの一例である。
【図１２】マスタ第四記憶領域１８４に記憶されている強制受信情報を示すテーブルの一例である。
【図１３】閲覧端末メイン処理のメインフローチャートである。
【図１４】評価値情報保存処理のサブルーティンフローチャートである。
【図１５】マーク情報保存処理のサブルーティンフローチャートである。
【図１６】閲覧端末通信処理のサブルーティンフローチャートである。
【図１７】送信用情報選択処理のサブルーティンフローチャートである。
【図１８】スレーブ印刷装置メイン処理のメインフローチャートである。
【図１９】印刷装置通信処理のサブルーティンフローチャートである。
【図２０】マスタ印刷装置メイン処理のメインフローチャートである。
【符号の説明】
【０１７０】
１    閲覧端末
２    印刷装置
４    マスタ印刷装置
５，６    スレーブ印刷装置
１０    評価情報収集システム
１０４    記憶装置
１０５    表示制御部
１０６    ディスプレイ
１０９    送受信部
１４４    記憶装置
１４７    印刷制御部
１４９    送受信部
１７４    記憶装置
１７７    印刷制御部
１７９    送受信部
【図１】
2009099134.tif 000003
【図２】
2009099134.tif 000004
【図３】
2009099134.tif 000005
【図４】
2009099134.tif 000006
【図５】
2009099134.tif 000007
【図６】
2009099134.tif 000008
【図７】
2009099134.tif 000009
【図８】
2009099134.tif 000010
【図９】
2009099134.tif 000011
【図１０】
2009099134.tif 000012
【図１１】
2009099134.tif 000013
【図１２】
2009099134.tif 000014
【図１３】
2009099134.tif 000015
【図１４】
2009099134.tif 000016
【図１５】
2009099134.tif 000017
【図１６】
2009099134.tif 000018
【図１７】
2009099134.tif 000019
【図１８】
2009099134.tif 000020
【図１９】
2009099134.tif 000021
【図２０】
2009099134.tif 000022